(57)【要約】【課題】明度の高い画像を適切に表示する。【解決手段】表示装置１０は、第１色から第３色を表示する第１副画素、第２副画素、第３副画素を有する画素４８を複数有する画像表示パネル４０と、信号処理部２０と、を有し、信号処理部２０は、拡大色空間を記憶しており、画像表示パネル４０に表示させる色を拡大色空間内で再現可能な色に伸長するための伸長係数を取得し、第１副画素から第３副画素の出力信号を、少なくとも第１副画素から第３副画素の入力信号及び伸長係数に基づいて求めて第１副画素から第３副画素に出力し、拡大色空間は、基準色空間よりも高い明度の色を再現可能な色空間である。【選択図】図１
2016126307.tif 000002
【特許請求の範囲】
【請求項１】
第１色を表示する第１副画素、第２色を表示する第２副画素、及び第３色を表示する第３副画素を有する画素を複数有する画像表示パネルと、
入力信号の入力値から出力信号を生成して前記画像表示パネルに出力する信号処理部と、を有し、
前記第３副画素は、前記第３色の明度の表示可能な上限値である第３副画素最大明度が、前記第１副画素の前記第１色の明度の表示可能な上限値である第１副画素最大明度、及び前記第２副画素の前記第２色の明度の表示可能な上限値である第２副画素最大明度のうち一方の値よりも小さい値であり、かつ、他方の値以下の値であり、
前記信号処理部は、
前記第１副画素に前記第１副画素最大明度の範囲で前記第１色を表示するための前記出力信号を出力し、前記第２副画素に前記第２副画素最大明度の範囲で前記第２色を表示するための前記出力信号を出力し、前記第３副画素に前記第３副画素最大明度の範囲で前記第３色を表示するための前記出力信号を出力した場合における前記第１色、前記第２色及び前記第３色で再現される拡大色空間を記憶しており、
前記画像表示パネルに表示させる色を前記拡大色空間内で再現可能な色に伸長するための伸長係数を取得し、
前記第１副画素の出力信号を、少なくとも前記第１副画素の入力信号及び前記伸長係数に基づいて求めて前記第１副画素に出力し、
前記第２副画素の出力信号を、少なくとも前記第２副画素の入力信号及び前記伸長係数に基づいて求めて前記第２副画素に出力し、
前記第３副画素の出力信号を、少なくとも前記第３副画素の入力信号及び前記伸長係数に基づいて求めて前記第３副画素に出力し、
前記拡大色空間は、前記第１色及び前記第２色の少なくとも一方を表示する場合の明度の上限値が、前記第３副画素最大明度よりも大きく、前記第１副画素及び前記第２副画素に、表示可能な明度の上限値を前記第３副画素最大明度に制限した場合の色を表示するための前記出力信号を出力し、前記第３副画素に、前記第３副画素最大明度の色を表示するための前記出力信号を出力した場合における、前記第１色、前記第２色及び前記第３色で再現される基準色空間よりも、高い明度の色を再現可能な色空間である、
表示装置。
【請求項２】
前記拡大色空間は、再現しようとする色の明度の表示可能な上限値が、再現しようとする前記色の色相に応じて異なる、請求項１に記載の表示装置。
【請求項３】
前記拡大色空間は、再現しようとする色が前記第１色と前記第３色と間の色相である場合は、最大彩度における明度の表示可能な上限値が、前記第３副画素最大明度以上、前記第２副画素最大明度以下である、請求項２に記載の表示装置。
【請求項４】
前記拡大色空間は、再現しようとする色の明度の表示可能な上限値が、再現しようとする前記色の色相に応じて段階的に変化する、請求項３に記載の表示装置。
【請求項５】
前記拡大色空間は、再現しようとする色が、前記第１色の色相から、前記第１色と前記第３色との間の所定の色相を有する第１中間色の間の色相である場合は、最大彩度における明度の表示可能な上限値が前記第１副画素最大明度であり、再現しようとする色が、前記第１中間色から、前記第１中間色と前記第３色との間の所定の色相を有する第２中間色までの間の色相である場合は、前記第１中間色から前記第２中間色までの色相の変化に応じて、最大彩度における明度の表示可能な上限値が小さくなり、再現しようとする色が、前記第２中間色から前記第３色までの間の色相である場合は、最大彩度における明度の表示可能な上限値が前記第３副画素最大明度となる、請求項４に記載の表示装置。
【請求項６】
前記第１色は、赤色であり、前記第２色は、緑色であり、前記第３色は、青色である、請求項１から請求項５のいずれか１項に記載の表示装置。
【請求項７】
前記信号処理部は、前記画像表示パネルに最大明度の白色を表示させようとする場合、前記第３副画素最大明度よりも小さい規定明度の色を表示するための規定出力信号を、前記第１副画素、前記第２副画素及び前記第３副画素に出力して、前記第１色、前記第２色及び前記第３色により前記白色を表示させ、前記白色以外の色を表示させる場合には、前記規定出力信号よりも信号値の大きい出力信号を出力することにより、前記第１副画素、前記第２副画素及び前記第３副画素に、前記規定明度よりも明度の高い色を表示可能な、請求項６に記載の表示装置。 
【請求項８】
前記画像表示パネルは、第４色を表示する第４副画素をさらに有し、
前記拡大空間は、さらに、前記第４色の明度の表示可能な上限値である第４副画素最大明度の範囲で前記第４色を表示するための前記出力信号を、前記第１副画素に出力した場合における前記第４色にも基づいて再現され、
前記信号処理部は、前記第４副画素の出力信号を、前記第１副画素の入力信号、前記第２副画素の入力信号、前記第３副画素の入力信号及び前記伸長係数に基づいて求める、請求項１から請求項７のいずれか１項に記載の表示装置。
【請求項９】
前記画像表示パネルは、前記第１副画素が、自発光体の点灯量に応じて前記第１色を表示し、前記第２副画素が、自発光体の点灯量に応じて前記第２色を表示し、前記第３副画素が、自発光体の点灯量に応じて前記第３色を表示する自発光型画像表示パネルである、請求項１から請求項８のいずれか１項に記載の表示装置。
【請求項１０】
前記画像表示パネルは、液晶表示パネルであり、
前記画像表示パネルの画像を表示する表示面とは反対側の背面側に設けられ、前記信号処理部からの光源制御信号に基づいて前記画像表示パネルに光を照射する光源部をさらに有する、請求項１から請求項８のいずれか１項に記載の表示装置。
【請求項１１】
前記画像表示パネルは、液晶表示パネルであり、
前記第１副画素、前記第２副画素及び前記第３副画素は、前記画像表示パネルの前面から入射された光を反射する反射部を有し、前記反射部によって反射された光により画像を表示する、請求項１から請求項８のいずれか１項に記載の表示装置。
【請求項１２】
請求項１から請求項１１のいずれか１項に記載の表示装置と、
前記表示装置を制御する制御装置と、を有する電子機器。
【発明の詳細な説明】
【技術分野】
【０００１】
本開示は、表示装置及び電子機器に関する。
【背景技術】
【０００２】
液晶表示パネルや、有機発光ダイオード（ＯＬＥＤ）のような自発光体を点灯する自発光型の表示パネル等は、例えば赤色を表示する第１副画素と、例えば緑色を表示する第２副画素と、例えば青色を表示する第３副画素とを有する複数の画素から構成される。さらに、この画素に、例えば白色を表示する第４副画素を加えることにより、画素の明度を向上させるという技術がある。特許文献１には、第４副画素を加えたことによって拡大された色空間である拡大色空間の最大明度まで、入力信号を伸長させ、画素の明度を上昇させる旨が記載されている。
【０００３】
また、同じ階調の出力信号により色を表示させても、素子特性の違いにより、表示する色の明度が異なる場合がある。例えば、青色を表示する第３副画素が、他の副画素よりも明度が小さくなる場合がある。従って、この場合、色バランスを保つため、遮光層を設けたり、回路にて出力調整したりすることにより、第１副画素、第２副画素の明度を第３副画素の最大明度に合わせて制限を加える場合がある。
【先行技術文献】
【特許文献】
【０００４】
【特許文献１】特開２０１１−１５４３２２号公報
【発明の概要】
【発明が解決しようとする課題】
【０００５】
最大明度に制限を加えた場合、実際に表現できる明度よりも低い明度までしか伸長できず、明度が高い画像を適切に表示できない可能性がある。
【０００６】
ここで、本発明は、上記課題を解決するために、明度が高い画像を適切に表示する表示装置及び電子機器を提供することを目的とする。
【課題を解決するための手段】
【０００７】
本発明の表示装置は、第１色を表示する第１副画素、第２色を表示する第２副画素、及び第３色を表示する第３副画素を有する画素を複数有する画像表示パネルと、入力信号の入力値から出力信号を生成して前記画像表示パネルに出力する信号処理部と、を有し、前記第３副画素は、前記第３色の明度の表示可能な上限値である第３副画素最大明度が、前記第１副画素の前記第１色の明度の表示可能な上限値である第１副画素最大明度、及び前記第２副画素の前記第２色の明度の表示可能な上限値である第２副画素最大明度のうち一方の値よりも小さい値であり、かつ、他方の値以下の値であり、前記信号処理部は、前記第１副画素に前記第１副画素最大明度の範囲で前記第１色を表示するための前記出力信号を出力し、前記第２副画素に前記第２副画素最大明度の範囲で前記第２色を表示するための前記出力信号を出力し、前記第３副画素に前記第３副画素最大明度の範囲で前記第３色を表示するための前記出力信号を出力した場合における前記第１色、前記第２色及び前記第３色で再現される拡大色空間を記憶しており、前記画像表示パネルに表示させる色を前記拡大色空間内で再現可能な色に伸長するための伸長係数を取得し、前記第１副画素の出力信号を、少なくとも前記第１副画素の入力信号及び前記伸長係数に基づいて求めて前記第１副画素に出力し、前記第２副画素の出力信号を、少なくとも前記第２副画素の入力信号及び前記伸長係数に基づいて求めて前記第２副画素に出力し、前記第３副画素の出力信号を、少なくとも前記第３副画素の入力信号及び前記伸長係数に基づいて求めて前記第３副画素に出力し、前記拡大色空間は、前記第１色及び前記第２色の少なくとも一方を表示する場合の明度の上限値が、前記第３副画素最大明度よりも大きく、前記第１副画素及び前記第２副画素に、表示可能な明度の上限値を前記第３副画素最大明度に制限した場合の色を表示するための前記出力信号を出力し、前記第３副画素に、前記第３副画素最大明度の色を表示するための前記出力信号を出力した場合における、前記第１色、前記第２色及び前記第３色で再現される基準色空間よりも、高い明度の色を再現可能な色空間である。
【図面の簡単な説明】
【０００８】
【図１】図１は、実施形態１に係る表示装置の構成の一例を示すブロック図である。
【図２】図２は、実施形態１に係る画像表示パネルの画素が含む副画素の点灯駆動回路を示す図である。
【図３】図３は、実施形態１に係る画像表示パネルの副画素の配列を示す図である。
【図４】図４は、実施形態１に係る画像表示パネルの断面構造を示す図である。
【図５】図５は、実施形態１に係る画像表示パネルの副画素の他の配列を示す図である。
【図６】図６は、実施形態１に係る信号処理部の構成の概要を示すブロック図である。
【図７】図７は、基準色空間の概念図である。
【図８】図８は、基準色空間の彩度と明度との関係を示す概念図である。
【図９】図９は、第１色、第２色、第３色の色相における、拡大色空間の彩度と明度との関係を示す概念図である。
【図１０】図１０は、最大彩度における、拡大色空間の色相と明度との関係を示す概念図である。
【図１１】図１１は、実施形態１に係る信号処理部による各副画素の出力信号の生成処理を説明するフローチャートである。
【図１２】図１２は、最大明度に制限をかけた場合の色空間を説明する概念図である。
【図１３】図１３は、実施形態２に係る画像表示パネルの副画素の配列を示す図である。
【図１４】図１４は、実施形態２に係る信号処理部の構成を示すブロック図である。
【図１５】図１５は、実施形態２における拡大色空間の各色相における彩度と明度との関係を示す概念図である。
【図１６】図１６は、実施形態３に係る表示装置の構成の一例を示すブロック図である。
【図１７】図１７は、実施形態３に係る画像表示パネルの概念図である。
【図１８】図１８は、実施形態３に係る信号処理部の構成を示すブロック図である。
【図１９】図１９は、実施形態３に係る信号処理部による出力信号の生成処理及び光源装置の輝度の低減処理を説明したフローチャートである。
【図２０】図２０は、実施形態４に係る表示装置の構成の一例を示すブロック図である。
【図２１】図２１は、実施形態４における画像表示パネルの構造を模式的に示す断面図である。
【図２２】図２２は、実施形態１に係る表示装置を適用する電子機器の一例を示す図である。
【図２３】図２３は、実施形態１に係る表示装置を適用する電子機器の一例を示す図である。
【発明を実施するための形態】
【０００９】
以下に、本発明の実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
（実施形態１）
（表示装置の構成）
図１は、本発明の実施形態１に係る表示装置の構成の一例を示すブロック図である。図１に示すように、実施形態１の表示装置１０は、信号処理部２０と、画像表示パネル駆動部３０と、画像表示パネル４０とを有する。信号処理部２０は、制御装置１１の画像出力部１２からの入力信号（ＲＧＢデータ）が入力され、入力信号に所定のデータ変換処理を加えて生成した信号を表示装置１０の各部に送る。画像表示パネル駆動部３０は、信号処理部２０からの信号に基づいて画像表示パネル４０の駆動を制御する。画像表示パネル４０は、画像表示パネル駆動部３０からの信号に基づいて画素の自発光体を点灯させて画像を表示する自発光型の画像表示パネルである。
【００１１】
（画像表示パネルの構成）
最初に、画像表示パネル４０の構成について説明する。図２は、実施形態１に係る画像表示パネルの画素が含む副画素の点灯駆動回路を示す図である。図３は、実施形態１に係る画像表示パネルの副画素の配列を示す図である。図４は、実施形態１に係る画像表示パネルの断面構造を示す図である。図１に示すように、画像表示パネル４０は、画素４８が、Ｐ０×Ｑ０個（行方向にＰ０個、列方向にＱ０個）、２次元のマトリクス状（行列状）に配列されている。
【００１２】
画素４８は、複数の副画素４９を含み、図２に示す副画素４９の点灯駆動回路が２次元のマトリクス状（行列状）に配列されている。図２に示すように、点灯駆動回路は、制御用トランジスタＴｒ１と、駆動用トランジスタＴｒ２と、電荷保持用コンデンサＣ１とを含む。制御用トランジスタＴｒ１のゲートが走査線ＳＣＬに接続され、ソースが信号線ＤＴＬに接続され、ドレインが駆動用トランジスタＴｒ２のゲートに接続されている。電荷保持用コンデンサＣ１の一端が駆動用トランジスタＴｒ２のゲートに接続され、他端が駆動用トランジスタＴｒ２のソースに接続されている。駆動用トランジスタＴｒ２のソースが、電源線ＰＣＬと接続されており、駆動用トランジスタＴｒ２のドレインが、自発光体である有機発光ダイオードＥ１のアノードに接続されている。有機発光ダイオードＥ１のカソードは、例えば基準電位（例えばアース）に接続されている。なお図２では制御用トランジスタＴｒ１がｎチャネル型トランジスタ、駆動用トランジスタＴｒ２がｐチャネル型トランジスタの例を示しているが、それぞれのトランジスタの極性はこれに限定されない。必要に応じて、制御用トランジスタＴｒ１及び駆動用トランジスタＴｒ２それぞれの極性を決めればよい。
【００１３】
画素４８は、図３に示すように、第１副画素４９Ｒと、第２副画素４９Ｇと、第３副画素４９Ｂと、第４副画素４９Ｗとを有する。第１副画素４９Ｒは、第１色としての原色の赤色を表示する。第２副画素４９Ｇは、第２色としての原色の緑色を表示する。第３副画素４９Ｂは、第３色としての原色の青色を表示する。第４副画素４９Ｗは、第１色、第２色及び第３色とは異なる第４色としての白色を表示する。ただし、第１色、第２色、第３色、第４色は、それぞれ赤色、緑色、青色、白色に限られず、補色などの任意の色を選択することができる。以下において、第１副画素４９Ｒと、第２副画素４９Ｇと、第３副画素４９Ｂと、第４副画素４９Ｗとをそれぞれ区別する必要がない場合、副画素４９という。
【００１４】
第１副画素４９Ｒと第２副画素４９Ｇと第３副画素４９Ｂとは、表示する色及び点灯駆動回路の固体バラつき等の素子特性が異なるため、自身が表示する色の明度の表示可能な上限値が異なる。ここで、第１副画素４９Ｒの赤色（第１色）の明度の表示可能な上限値を第１副画素最大明度とし、第２副画素４９Ｇの緑色（第２色）の明度の表示可能な上限値を第２副画素最大明度とし、第３副画素４９Ｂの青色（第３色）の明度の表示可能な上限値を第３副画素最大明度とする。すなわち、第１副画素最大明度、第２副画素最大明度及び第３副画素最大明度は、それぞれの副画素４９に最大の階調値の出力信号が出力された場合に、第１副画素４９Ｒ、第２副画素４９Ｇ及び第３副画素４９Ｂが表示する色の明度である。
【００１５】
実施形態１においては、第２副画素最大明度、第１副画素最大明度、第３副画素最大明度の順で、明度の値が大きい。すなわち、第２副画素４９Ｇが表示可能な色の明度が最大で、第１副画素４９Ｒが表示可能な色の明度がその次に大きく、第３副画素４９Ｂが表示可能な色の明度が最小である。ただし、第１色、第２色、第３色は任意に設定することができるため、第１副画素最大明度、第２副画素最大明度、第３副画素最大明度の大小関係はこれに限られない。副画素４９は、第３副画素最大明度が、第１副画素最大明度及び第２副画素最大明度のうち一方よりも小さい値であり、かつ、他方以下の値であれば、各副画素の表示色や構成等を任意に設定することができる。
【００１６】
また、第４副画素４９Ｗの白色（第４色）の明度の表示可能な上限値を第４副画素最大明度とすると、第４副画素最大明度は、第１副画素最大明度、第２副画素最大明度及び第３副画素最大明度よりも大きいが、これに限定されるものではない。なお、第４副画素４９Ｗが表示する色は白色に限られず任意である。例えば、第４副画素４９Ｗは、第４色として黄色を表示してもよい。
【００１７】
図４に示すように、画像表示パネル４０は、基板５１と、絶縁層５２、５３と、反射層５４と、下部電極５５と、自発光層５６と、上部電極５７と、絶縁層５８と、絶縁層５９と、色変換層としてのカラーフィルタ６１と、遮光層としてのブラックマトリクス６２と、基板５０とを備えている。基板５１は、シリコンなどの半導体基板、ガラス基板、樹脂基板などであって、上述した点灯駆動回路などを形成又は保持している。絶縁層５２は、上述した点灯駆動回路などを保護する保護膜であり、シリコン酸化物、シリコン窒化物などを用いることができる。下部電極５５は、第１副画素４９Ｒと、第２副画素４９Ｇと、第３副画素４９Ｂと、第４副画素４９Ｗとにそれぞれ設けられており、上述した有機発光ダイオードＥ１のアノード（陽極）となる導電体である。下部電極５５は、インジウム錫酸化物（Indium  Tin  Oxide：ＩＴＯ）等の透光性導電材料（透光性導電酸化物）で形成される透光性電極である。絶縁層５３は、バンクと呼ばれ、第１副画素４９Ｒと、第２副画素４９Ｇと、第３副画素４９Ｂと、第４副画素４９Ｗとを区画する絶縁層である。反射層５４は、自発光層５６からの光を反射する金属光沢のある材料、例えば銀、アルミニウム、金などで形成されている。自発光層５６は、有機材料を含み、不図示のホール注入層、ホール輸送層、発光層、電子輸送層、電子注入層を含む。
【００１８】
（ホール輸送層）
正孔を発生する層としては、例えば、芳香族アミン化合物と、その化合物に対して電子受容性を示す物質とを含む層を用いることが好ましい。ここで、芳香族アミン化合物とは、アリールアミン骨格を有する物質である。芳香族アミン化合物の中でも特に、トリフェニルアミンを骨格に含み、４００以上の分子量を有するものが好ましい。また、トリフェニルアミンを骨格に有する芳香族アミン化合物の中でも特にナフチル基のような縮合芳香環を骨格に含むものが好ましい。トリフェニルアミンと縮合芳香環とを骨格に含む芳香族アミン化合物を用いることによって、発光素子の耐熱性が良くなる。芳香族アミン化合物の具体例としては、例えば、４，４’−ビス［Ｎ−（１−ナフチル）−Ｎ−フェニルアミノ］ビフェニル（略称：α−ＮＰＤ）、４，４’−ビス［Ｎ−（３−メチルフェニル）−Ｎ−フェニルアミノ］ビフェニル（略称：ＴＰＤ）、４，４’，４’’−トリス（Ｎ，Ｎ−ジフェニルアミノ）トリフェニルアミン（略称：ＴＤＡＴＡ）、４，４’，４’’−トリス［Ｎ−（３−メチルフェニル）−Ｎ−フェニルアミノ］トリフェニルアミン（略称：ＭＴＤＡＴＡ）、４，４’−ビス［Ｎ−｛４−（Ｎ，Ｎ−ジ−ｍ−トリルアミノ）フェニル｝−Ｎ−フェニルアミノ］ビフェニル（略称：ＤＮＴＰＤ）、１，３，５−トリス［Ｎ，Ｎ−ジ（ｍ−トリル）アミノ］ベンゼン（略称：ｍ−ＭＴＤＡＢ）、４，４’，４’’−トリス（Ｎ−カルバゾリル）トリフェニルアミン（略称：ＴＣＴＡ）、２，３−ビス（４−ジフェニルアミノフェニル）キノキサリン（略称：ＴＰＡＱｎ）、２，２’，３，３’−テトラキス（４−ジフェニルアミノフェニル）−６，６’−ビスキノキサリン（略称：Ｄ−ＴｒｉＰｈＡＱｎ）、２，３−ビス｛４−［Ｎ−（１−ナフチル）−Ｎ−フェニルアミノ］フェニル｝−ジベンゾ［ｆ，ｈ］キノキサリン（略称：ＮＰＡＤｉＢｚＱｎ）等が挙げられる。また、芳香族アミン化合物に対して電子受容性を示す物質について特に限定はなく、例えば、モリブデン酸化物、バナジウム酸化物、７，７，８，８−テトラシアノキノジメタン（略称：ＴＣＮＱ）、２，３，５，６−テトラフルオロ−７，７，８，８−テトラシアノキノジメタン（略称：Ｆ４−ＴＣＮＱ）等を用いることができる。
【００１９】
（電子注入層、電子輸送層）
電子輸送性物質について特に限定はなく、例えば、トリス（８−キノリノラト）アルミニウム（略称：Ａｌｑ３）、トリス（４−メチル−８−キノリノラト）アルミニウム（略称：Ａｌｍｑ３）、ビス（１０−ヒドロキシベンゾ［ｈ］−キノリナト）ベリリウム（略称：ＢｅＢｑ２）、ビス（２−メチル−８−キノリノラト）−４−フェニルフェノラト−アルミニウム（略称：ＢＡｌｑ）、ビス［２−（２−ヒドロキシフェニル）ベンゾオキサゾラト］亜鉛（略称：Ｚｎ（ＢＯＸ）２）、ビス［２−（２−ヒドロキシフェニル）ベンゾチアゾラト］亜鉛（略称：Ｚｎ（ＢＴＺ）２）等の金属錯体の他、２−（４−ビフェニリル）−５−（４−ｔｅｒｔ−ブチルフェニル）−１，３，４−オキサジアゾール（略称：ＰＢＤ）、１，３−ビス［５−（ｐ−ｔｅｒｔ−ブチルフェニル）−１，３，４−オキサジアゾール−２−イル］ベンゼン（略称：ＯＸＤ−７）、３−（４−ｔｅｒｔ−ブチルフェニル）−４−フェニル−５−（４−ビフェニリル）−１，２，４−トリアゾール（略称：ＴＡＺ）、３−（４−ｔｅｒｔ−ブチルフェニル）−４−（４−エチルフェニル）−５−（４−ビフェニリル）−１，２，４−トリアゾール（略称：ｐ−ＥｔＴＡＺ）、バソフェナントロリン（略称：ＢＰｈｅｎ）、バソキュプロイン（略称：ＢＣＰ）等を用いることができる。また、電子輸送性物質に対して電子供与性を示す物質について特に限定はなく、例えば、リチウム、セシウム等のアルカリ金属、マグネシウム、カルシウム等のアルカリ土類金属、エルビウム、イッテルビウム等の希土類金属等を用いることができる。また、リチウム酸化物（Ｌｉ２Ｏ）、カルシウム酸化物（ＣａＯ）、ナトリウム酸化物（Ｎａ２Ｏ）、カリウム酸化物（Ｋ２Ｏ）、マグネシウム酸化物（ＭｇＯ）等、アルカリ金属酸化物およびアルカリ土類金属酸化物の中から選ばれた物質を、電子輸送性物質に対して電子供与性を示す物質として用いても構わない。
【００２０】
（発光層）
例えば、赤色系の発光を得たいときには、４−ジシアノメチレン−２−イソプロピル−６−［２−（１，１，７，７−テトラメチルジュロリジン−９−イル）エテニル］−４Ｈ−ピラン（略称：ＤＣＪＴＩ）、４−ジシアノメチレン−２−メチル−６−［２−（１，１，７，７−テトラメチルジュロリジン−９−イル）エテニル］−４Ｈ−ピラン（略称：ＤＣＪＴ）、４−ジシアノメチレン−２−ｔｅｒｔ−ブチル−６−［２−（１，１，７，７−テトラメチルジュロリジン−９−イル）エテニル］−４Ｈ−ピラン（略称：ＤＣＪＴＢ）やペリフランテン、２，５−ジシアノ−１，４−ビス［２−（１０−メトキシ−１，１，７，７−テトラメチルジュロリジン−９−イル）エテニル］ベンゼン等、６００ｎｍから６８０ｎｍに発光スペクトルのピークを有する発光を呈する物質を用いることができる。また緑色系の発光を得たいときは、Ｎ，Ｎ’−ジメチルキナクリドン（略称：ＤＭＱｄ）、クマリン６やクマリン５４５Ｔ、トリス（８−キノリノラト）アルミニウム（略称：Ａｌｑ３）等、５００ｎｍから５５０ｎｍに発光スペクトルのピークを有する発光を呈する物質を用いることができる。また、青色系の発光を得たいときは、９，１０−ビス（２−ナフチル）−ｔｅｒｔ−ブチルアントラセン（略称：ｔ−ＢｕＤＮＡ）、９，９’−ビアントリル、９，１０−ジフェニルアントラセン（略称：ＤＰＡ）、９，１０−ビス（２−ナフチル）アントラセン（略称：ＤＮＡ）、ビス（２−メチル−８−キノリノラト）−４−フェニルフェノラト−ガリウム（略称：ＢＧａｑ）、ビス（２−メチル−８−キノリノラト）−４−フェニルフェノラト−アルミニウム（略称：ＢＡｌｑ）等、４２０ｎｍから５００ｎｍに発光スペクトルのピークを有する発光を呈する物質を用いることができる。以上のように、蛍光を発光する物質の他、ビス［２−（３，５−ビス（トリフルオロメチル）フェニル）ピリジナト−Ｎ，Ｃ２’］イリジウム（ＩＩＩ）ピコリナート（略称：Ｉｒ（ＣＦ３ｐｐｙ）２（ｐｉｃ））、ビス［２−（４，６−ジフルオロフェニル）ピリジナト−Ｎ，Ｃ２’］イリジウム（ＩＩＩ）アセチルアセトナート（略称：ＦＩｒ（ａｃａｃ））、ビス［２−（４，６−ジフルオロフェニル）ピリジナト−Ｎ，Ｃ２’］イリジウム（ＩＩＩ）ピコリナート（ＦＩｒ（ｐｉｃ））、トリス（２−フェニルピリジナト−Ｎ，Ｃ２’）イリジウム（略称：Ｉｒ（ｐｐｙ）３）等の燐光を発光する物質も発光物質として用いることができる。
【００２１】
上部電極５７は、インジウム錫酸化物（Indium  Tin  Oxide：ＩＴＯ）等の透光性導電材料（透光性導電酸化物）で形成される透光性電極である。なお本実施形態では、透光性導電材料の例としてＩＴＯを挙げたが、これに限定されない。透光性導電材料として、インジウム亜鉛酸化物（Indium  Zinc  Oxide：ＩＺＯ）等の別の組成を有する導電材料を用いてもよい。上部電極５７は、有機発光ダイオードＥ１のカソード（陰極）になる。絶縁層５８は、上述した上部電極を封止する封止層であり、シリコン酸化物、シリコン窒化物などを用いることができる。絶縁層５９は、バンクにより生じる段差を抑制する平坦化層であり、シリコン酸化物、シリコン窒化物などを用いることができる。基板５０は、画像表示パネル４０全体を保護する透光性の基板であり、例えば、ガラス基板を用いることができる。なお、図４においては、下部電極５５がアノード（陽極）、上部電極５７がカソード（陰極）の例を示しているが、これに限定されない。下部電極５５がカソード及び上部電極５７がアノードであってもよく、その場合は、下部電極５５に電気的に接続されている駆動用トランジスタＴｒ２の極性を適宜変えることも可能であり、また、キャリア注入層（ホール注入層及び電子注入層）、キャリア輸送層（ホール輸送層及び電子輸送層）、発光槽の積層順を適宜変えることも可能である。
【００２２】
画像表示パネル４０は、カラー表示パネルであり、自発光層５６の発光成分のうち、副画素４９と画像観察者との間に、副画素４９の色に応じた色の光を通過させるカラーフィルタ６１が配置されている。画像表示パネル４０は、赤色、緑色、青色、及び白色に対応する色の光を発光することができる。なお、白色に対応する第４副画素４９Ｗと画像観察者との間にカラーフィルタ６１が配置されていないようにしてもよい。また、画像表示パネル４０は、自発光層５６の発光成分がカラーフィルタ６１などの色変換層を介さず、第１副画素４９Ｒ、第２副画素４９Ｇ、第３副画素４９Ｂ、第４副画素４９Ｗの各々の色を発光することもできる。例えば画像表示パネル４０は、第４副画素４９Ｗには、色調整用のカラーフィルタ６１の代わりに透明な樹脂層が備えられていてもよい。このように画像表示パネル４０は、透明な樹脂層を設けることで、第４副画素４９Ｗに大きな段差が生じることを抑制することができる。
【００２３】
図５は、実施形態１に係る画像表示パネルの副画素の他の配列を示す図である。画像表示パネル４０は、第１副画素４９Ｒ、第２副画素４９Ｇ、第３副画素４９Ｂ及び第４副画素４９Ｗを含む副画素４９を２行２列で組み合わせた画素４８がマトリクス状に配置されている。このように、画像表示パネル４０は、画素４８内の副画素４９の配列を、任意に設定してもよい。
【００２４】
（信号処理部の構成）
次に、信号処理部２０について説明する。信号処理部２０は、制御装置１１から入力される入力信号を処理して出力信号を生成する。信号処理部２０は、赤色（第１色）、緑色（第２色）、青色（第３色）の色を組み合わせて表示させる入力信号の入力値を、赤色（第１色）、緑色（第２色）、青色（第３色）及び白色（第４色）で再現される拡大色空間（実施形態１ではＨＳＶ色空間）の再現値（出力信号）に変換して生成する。そして、信号処理部２０は、生成した出力信号を画像表示パネル駆動部３０に出力する。拡大色空間については後述する。なお、実施形態１において、拡大色空間はＨＳＶ色空間であるが、これに限られずＸＹＺ色空間、ＹＵＶ空間その他の座標系でもよい。
【００２５】
図６は、実施形態１に係る信号処理部の構成の概要を示すブロック図である。図６に示すように、信号処理部２０は、色データ算出部２２と、拡大色空間記憶部２４と、α算出部２６と、Ｗ変換部２７と、伸長処理部２８と、ガンマ変換部２９とを有する。信号処理部２０は、画像表示パネル駆動部３０と電気的に接続されている。
【００２６】
色データ算出部２２は、制御装置１１から、入力信号が入力される。入力信号は、赤色、緑色、青色のそれぞれの階調信号値を有し、この階調信号値を組み合わせることで、所定の色を表示させる信号である。色データ算出部２２は、入力信号の入力値から、その入力信号が表示させようとする色の色相及び彩度を算出する。色データ算出部２２は、入力信号と、算出した色相及び彩度の値を、α算出部２６に出力する。
【００２７】
拡大色空間記憶部２４は、拡大色空間を記憶している。詳しくは後述するが、拡大色空間は、画像表示パネル４０が表示可能な色の範囲を示す色空間であり、各副画素４９の素子特性に基づいて決定される。拡大色空間記憶部２４は、例えば、実験データで算出された拡大色空間のデータが書き込まれたり、製品出荷時等に検査された各副画素４９の素子特性に基づいて決定された拡大色空間のデータが書き込まれたりする。
【００２８】
α算出部２６は、入力信号と、色データ算出部２２が算出したその入力信号が表示させようとする色の色相及び彩度と、拡大色空間とから、入力信号を伸長するための伸長係数を算出する。より詳しくは、α算出部２６は、色データ算出部２２から、入力信号と、その入力信号が表示させようとする色の色相及び彩度とが入力される。また、α算出部２６は、入力信号を伸長するために事前に値が設定されている設定伸長係数α０を記憶している。α算出部２６は、入力信号の信号値と設定伸長係数α０とを掛け合わせて、第１比較信号値を算出する。なお、設定伸長係数α０は、例えばユーザー等の操作により設定することができる。
【００２９】
また、α算出部２６は、拡大色空間記憶部２４から、拡大色空間のデータを読み出す。α算出部２６は、第１比較信号値の明度と拡大色空間の明度の上限値とを比較して、実際に入力信号を伸長するための伸長係数αを算出する。より詳しくは、α算出部２６は、第１比較信号値に対応する色の明度が拡大色空間の明度の上限値を超えない場合は、設定伸長係数α０を、伸長係数αとする。また、α算出部２６は、第１比較信号値の明度が拡大色空間の明度の上限値を超える場合は、入力信号の信号値と伸長係数αとを掛け合わせて算出される第２比較信号値に対応する色の明度が、拡大色空間の明度の上限値を超えないように、伸長係数αを算出する。α算出部２６は、算出した伸長係数αの値及び入力信号を、Ｗ変換部２７に出力する。
【００３０】
なお、α算出部２６は、入力信号と、入力信号が表示させようとする色の色相及び彩度と、拡大色空間とから、入力信号を伸長するための伸長係数を算出するものであれば、このように設定伸長係数α０を用いて伸長係数αを算出しなくてもよい。例えば、α算出部２６は、入力信号の信号値と伸長係数αとを掛け合わせて算出される信号値に対応する色の明度が、拡大色空間の明度の上限値を超えないように、伸長係数αを算出してもよい。
【００３１】
Ｗ変換部２７は、伸長係数α及び入力信号が入力される。Ｗ変換部２７は、赤色、緑色、青色の色を組み合わせて表示させる入力信号の入力値を、赤色、緑色、青色及び白色の信号値に変換する。Ｗ変換部２７は、赤色、緑色、青色の階調信号値を有する入力信号と、伸長係数αとに基づき、第４副画素４９Ｗに出力するための白色を表示させるための出力信号値を算出する。Ｗ変換部２７は、入力信号と、伸長係数αと、第４副画素４９Ｗの出力信号値とを、伸長処理部２８に出力する。Ｗ変換部２７による第４副画素４９Ｗの出力信号値の算出処理の詳細は、後述する。
【００３２】
伸長処理部２８は、入力信号と、伸長係数αと、第４副画素４９Ｗの出力信号値とが入力される。伸長処理部２８は、入力信号と、伸長係数αと、第４副画素４９Ｗの出力信号値とに基づき、第１副画素４９Ｒ、第２副画素４９Ｇ、第３副画素４９Ｂの入力信号を伸長して、第１副画素４９Ｒ、第２副画素４９Ｇ、第３副画素４９Ｂの出力信号を生成する。伸長処理部２８は、各副画素４９の出力信号値を、ガンマ変換部２９に出力する。伸長処理部２８による出力信号の生成処理の詳細は、後述する。
【００３３】
ガンマ変換部２９は、各副画素４９の出力信号値が入力される。ガンマ変換部２９は、各副画素４９の出力信号値をガンマ変換して、出力信号値に応じた色を表示させるための所定の電位を有した画像出力信号を生成して、画像表示パネル駆動部３０に出力する。
【００３４】
（画像表示パネル駆動部の構成）
画像表示パネル駆動部３０は、画像表示パネル４０の制御装置であって、信号出力回路３１、走査回路３２及び電源回路３３を備えている。信号出力回路３１は、信号線ＤＴＬによって画像表示パネル４０と電気的に接続されている。信号出力回路３１は、入力された画像出力信号を保持し、順次、画像表示パネル４０の各副画素４９に出力する。走査回路３２は、走査線ＳＣＬによって画像表示パネル４０と電気的に接続されている。走査回路３２は、画像表示パネルにおける副画素４９を選択し、副画素４９の動作（発光強度）を制御するためのスイッチング素子（例えば、薄膜トランジスタ（Thin Film Transistor：ＴＦＴ））のオン及びオフを制御する。電源回路３３は、電源線ＰＣＬによって各副画素４９の有機発光ダイオードＥ１へ電力を供給する。
【００３５】
（基準色空間について）
次に、比較例に係る画像表示パネルが再現可能な色空間である基準色空間について説明する。上述のように、第１副画素４９Ｒと第２副画素４９Ｇと第３副画素４９Ｂとは、素子特性が異なるため、第１副画素最大明度、第２副画素最大明度、第３副画素最大明度が異なる。そして、第３副画素最大明度は、第１副画素最大明度及び第２副画素最大明度よりも小さい。すなわち、同じ最大階調の入力信号値が入力されても、第３副画素４９Ｂが表示する青色の明度は、第１副画素４９Ｒ及び第２副画素４９Ｇが表示する赤色及び緑色の明度より小さくなる。従って、例えば白色を表示させるために、第１副画素４９Ｒ、第２副画素４９Ｇ、第３副画素４９Ｂのそれぞれに同じ最大階調の入力信号値を入力した場合、それぞれの色の明度が異なるため、白色からずれた色が表示される場合がある。そのため、通常、画像表示パネルは、比較例に係る画像表示パネルのように、色バランスを保つため、第１副画素４９Ｒ、第２副画素４９Ｇの最大明度（表示可能な明度の上限値）を、第３副画素４９Ｂの最大明度に合わせて制限を加える。そのため、基準色空間における第１副画素４９Ｒ、第２副画素４９Ｇの最大明度は、第３副画素４９Ｂの第３副画素最大明度に合わせて制限され、第３副画素最大明度と同じ明度となる。このため、第１副画素４９Ｒ、第２副画素４９Ｇ、第３副画素４９Ｂの各色を組み合わせて表示する色は、表示可能な最大明度が、第３副画素最大明度と同じ明度となる。
【００３６】
さらに、第４副画素４９Ｗは、白色成分を加えることで、第１副画素４９Ｒ、第２副画素４９Ｇ、第３副画素４９Ｂのみで色を表示する場合よりも、明度のダイナミックレンジを広げることができる。このように、第１副画素４９Ｒ、第２副画素４９Ｇの表示可能な最大明度が、第３副画素最大明度に合わせて制限されて、かつ、第４副画素４９Ｗを加えることにより拡大された色空間を、以下、基準色空間と記載する。言い換えれば、基準色空間は、第１副画素４９Ｒ及び第２副画素４９Ｇに、最大明度を第３副画素最大明度までに制限した色を表示させるための出力信号を出力し、第３副画素４９Ｂに、第３副画素最大明度の色を表示させるための出力信号を出力し、第４副画素４９Ｗに、第４副画素最大明度の色を表示させるための出力信号を出力した場合における、第１色（赤色）、第２色（緑色）、第３色（青色）、第４色（白色）で再現できる色空間である。比較例に係る画像表示パネルは、入力信号を伸長することで、この基準色空間の範囲で、色を表示する。
【００３７】
図７は、基準色空間の概念図である。図８は、基準色空間の彩度と明度との関係を示す概念図である。実施形態１において、基準色空間は、ＨＳＶ色空間である。図７及び図８に示す横軸は彩度（Ｓ）であり、縦軸は明度（Ｖ）であり、縦軸を中心に周方向に沿った周方向軸は色相（Ｈ）である。図８は、図７のＨＳＶ色空間を、周方向軸の接線方向に直交した断面で切り取った断面図である。従って、図８は、基準色空間の、任意の色相における彩度と明度との関係を示す。基準色空間における彩度と明度との関係は、色相によらず同じである。
【００３８】
図７及び図８に示すように、基準色空間は、最大明度を制限した第１副画素４９Ｒ及び第２副画素４９Ｇと、第３副画素４９Ｂにより再現可能な色空間である円柱形状のＨＳＶ色空間に、第４副画素４９Ｗで再現可能な、彩度Ｓが高くなるほど明度Ｖの最大値が低くなる略台形形状となる立体が載っている形状となる。ここで、第３副画素最大明度をＶ３とし、第４副画素最大明度をＶ４とする。より詳しくは、基準色空間は、彩度が０から最大値のＳ０までの間において、最大明度が第３副画素最大明度Ｖ３である円柱形状のＨＳＶ色空間に、最大明度が第４副画素最大明度Ｖ４である略台形形状の色空間を加えたものとなる。なお、基準色空間における第３副画素最大明度Ｖ３は、第３副画素における入力信号の階調の最大値に対応するため、１であり、第４副画素最大明度Ｖ４は、例えば１．５である。比較例に係る画像表示パネルは、入力信号を伸長することで、再現可能な色空間を、基準色空間の一部のこの円柱形状のＨＳＶ色空間から、基準色空間の全体に広げて、色を表示する。
【００３９】
基準色空間において再現できる明度の最大値は、この拡大色空間の彩度毎の明度の上限値を示す線分Ｌ０となる。線分Ｌ０に示すように、基準色空間において再現できる明度の最大値は、彩度０から彩度Ｓ３までにおいては、明度Ｖ３＋Ｖ４である。そして、基準色空間において再現できる明度の最大値は、彩度Ｓ３から彩度の最大値である彩度Ｓ０に向かって、低下する。基準色空間において再現できる明度の最大値は、彩度Ｓ０において、第３副画素最大明度Ｖ３の値になる。
【００４０】
このように、比較例に係る画像表示パネルは、入力信号を伸長した場合において、第１副画素４９Ｒ及び第２副画素４９Ｇの最大明度に制限をかけた色空間である基準色空間の範囲で、色を表示する場合がある。
【００４１】
（拡大色空間について）
一方、実施形態１に係る拡大色空間記憶部２４は、基準色空間よりも高い明度の色を再現可能な色空間である拡大色空間を記憶し、画像表示パネル４０は、入力信号を伸長することで、この拡大色空間の範囲で色を表示する。拡大色空間は、第１副画素４９Ｒ及び第２副画素４９Ｇの最大明度に制限をかけない色空間である。図９は、第１色、第２色、第３色の色相における、拡大色空間の彩度と明度との関係を示す概念図である。図１０は、最大彩度における、拡大色空間の色相と明度との関係を示す概念図である。色相Ｈは、図１０に示すように、０°から３６０°で表される。０°から３６０°に向かって、赤（Ｒｅｄ）、黄（Ｙｅｌｌｏｗ）、緑（Ｇｒｅｅｎ）、シアン（Ｃｙａｎ）、青（Ｂｌｕｅ）、マゼンタ（Ｍａｇｅｎｔａ）、赤となる。実施形態１では、角度０°及び３６０°を含む領域が赤色となり、角度１２０°を含む領域が緑色となり、角度２４０°を含む領域が青色となる。
【００４２】
図９の線分Ｌ１は、第１副画素４９Ｒと第４副画素４９Ｗによって、最大明度に制限を加えずに、第１色（赤色）の色相の色を表示させた場合における、彩度に応じた最大明度を示している。すなわち、線分Ｌ１は、入力信号を伸長することにより、第１副画素４９Ｒに第１副画素最大明度の色を表示するための出力信号を出力し、第４副画素４９Ｗに第４副画素最大明度の色を表示するための出力信号を出力した場合における、第１色（赤色）の色相で再現される色空間の上限値である。なお、線分Ｌ１は、色相が赤色であるため、色相Ｈは０°及び３６０°となる。
【００４３】
図９の線分Ｌ２は、第２副画素４９Ｇと第４副画素４９Ｗによって、最大明度に制限を加えずに、第２色（緑色）の色相の色を表示させた場合における、彩度に応じた最大明度を示している。すなわち、線分Ｌ２は、入力信号を伸長することにより、第２副画素４９Ｇに第２副画素最大明度の色を表示するための出力信号を出力し、第４副画素４９Ｗに第４副画素最大明度の色を表示するための出力信号を出力した場合における、第２色（緑色）の色相で再現される色空間の上限値である。なお、線分Ｌ２は、色相が緑色であるため、色相Ｈは１２０°となる。
【００４４】
図９の線分Ｌ３は、第３副画素４９Ｂと第４副画素４９Ｗによって、最大明度に制限を加えずに、第３色（青色）の色相の色を表示させた場合における、彩度に応じた最大明度を示している。すなわち、線分Ｌ３は、入力信号を伸長することにより、第３副画素４９Ｂに第３副画素最大明度の色を表示するための出力信号を出力し、第４副画素４９Ｗに第４副画素最大明度の色を表示するための出力信号を出力した場合における、第３色（青色）の色相で再現される色空間の上限値である。なお、線分Ｌ３は、色相が青色であるため、色相Ｈは２４０°となる。また、線分Ｌ３は、第３副画素最大明度に応じたものなので、基準色空間の線分Ｌ０と同じものとなる。
【００４５】
線分Ｌ１に示すように、明度を制限しない場合における第１色（赤色）の色相での最大明度は、彩度０において、明度Ｖ３＋Ｖ４である。そして、第１副画素最大明度をＶ１としたとき、この最大明度は、彩度０から彩度Ｓ４までにおいて増加し、彩度Ｓ４において明度Ｖ１＋Ｖ４となり、彩度Ｓ４から彩度Ｓ１までにおいて明度Ｖ１＋Ｖ４である。そして、この最大明度は、彩度Ｓ１から彩度の最大値である彩度Ｓ０に向かって、低下する。そして、この最大明度は、彩度Ｓ０において、第１副画素最大明度Ｖ１となる。なお、彩度Ｓ１は、彩度Ｓ３よりも大きい。
【００４６】
線分Ｌ２に示すように、明度を制限しない場合における第２色（緑色）の色相での最大明度は、彩度０において、明度Ｖ３＋Ｖ４である。そして、第２副画素最大明度をＶ２としたとき、この最大明度は、彩度０から彩度Ｓ５までにおいて増加し、彩度Ｓ５において明度Ｖ２＋Ｖ４となり、彩度Ｓ５から彩度Ｓ２までにおいて明度Ｖ２＋Ｖ４である。そして、この最大明度は、彩度Ｓ２から彩度の最大値である彩度Ｓ０に向かって、低下する。そして、この最大明度は、彩度Ｓ０において、第２副画素最大明度Ｖ２となる。なお、彩度Ｓ２は、彩度Ｓ１よりも大きい。また、彩度Ｓ５は、彩度Ｓ４よりも大きい。
【００４７】
上述のように、線分Ｌ３は、線分Ｌ０と同じ値をとる。従って、明度を制限しない場合における第３色（青色）の色相での最大明度は、基準色空間における最大明度と同じとなる。
【００４８】
拡大色空間記憶部２４は、線分Ｌ１に示すような、最大明度に制限を加えずに、第１色（赤色）の色相の色を表示させた場合における、彩度に応じた最大明度の値を記憶する。また、拡大色空間記憶部２４は、線分Ｌ２に示すような、最大明度に制限を加えずに、第２色（緑色）の色相の色を表示させた場合における、彩度に応じた最大明度の値を記憶する。また、拡大色空間記憶部２４は、線分Ｌ３に示すような、最大明度に制限を加えずに、第３色（青色）の色相の色を表示させた場合における、彩度に応じた最大明度の値を記憶する。拡大色空間記憶部２４は、実験データで算出されたこれらのデータが書き込まれたり、製品出荷時等の検査により算出されたこれらのデータが書き込まれたりすることにより、第１色、第２色、第３色の色相における彩度に応じた最大明度の値を記憶する。そして、拡大色空間記憶部２４は、第１色、第２色、第３色の色相における彩度に応じた最大明度の値を組み合わせて、各色相における彩度に応じた最大明度の値を算出し、その最大明度内の色空間を、拡大色空間として記憶する。尚、拡大色空間記憶部２４に記憶する最大明度の値は、第１副画素最大明度Ｖ１あるいは第２副画素最大明度Ｖ２などの値が突出して大きい場合などは、彩度に応じた線分Ｌ１あるいは線分Ｌ２に示す最大明度の値より小さい値を最大明度として記憶してもよい。すなわち、拡大色空間記憶部２４は、拡大色空間として、第１副画素最大明度Ｖ１と第４副画素最大明度Ｖ４とを加えた範囲内、第２副画素最大明度Ｖ２と第４副画素最大明度Ｖ４とを加えた範囲内、及び第３副画素最大明度Ｖ３と第４副画素最大明度Ｖ４とを加えた範囲内における色空間を記憶してもよい。ここでいう第１副画素最大明度Ｖ１と第４副画素最大明度Ｖ４とを加えた範囲内とは、第１色において、明度がゼロからＶ１＋Ｖ４との間の範囲である。また、第２副画素最大明度Ｖ２と第４副画素最大明度Ｖ４とを加えた範囲内は、第２色において、明度がゼロからＶ２＋Ｖ４との間の範囲である。また、第３副画素最大明度Ｖ３と第４副画素最大明度Ｖ４とを加えた範囲内は、第３色において、明度がゼロからＶ３＋Ｖ４との間の範囲である。ただし、この場合、拡大色空間は、第１色及び第２色の少なくともいずれかの最大明度（表示可能な明度の上限値）が、Ｖ３＋Ｖ４よりも大きい。
【００４９】
図１０は、拡大色空間において、最大彩度Ｓ０での、色相に応じた最大明度の値を示している。図１０の横軸は色相（°）であり、縦軸は明度である。第１副画素４９Ｒは、色相０°又は３６０°の赤色（Ｒ）を表示するため、色相０°又は３６０°での最大明度は、第１副画素最大明度Ｖ１となっている。また、第２副画素４９Ｇは、色相１２０°の緑色（Ｇ）を表示するため、色相１２０°での最大明度は、第２副画素最大明度Ｖ２となっている。また、第３副画素４９Ｂは、色相２４０°の青色（Ｂ）を表示するため、色相２４０°での最大明度は、第３副画素最大明度Ｖ３となっている。すなわち、拡大色空間においては、色相に応じて最大明度が変化する。
【００５０】
色相が０°（赤色）から１２０°（緑色）までの間の最大明度は、第１副画素最大明度Ｖ１以上第２副画素最大明度Ｖ２以下となっている。また、色相が１２０°（緑色）から２４０°（青色）までの間の最大明度は、第２副画素最大明度Ｖ２以下第３副画素最大明度Ｖ３以上となっている。また、色相が２４０°（青色）から３６０°（赤色）までの間の最大明度は、第３副画素最大明度Ｖ３以上第１副画素最大明度Ｖ１以下となっている。
【００５１】
さらに、拡大色空間においては、色相に応じて最大明度が段階的に変化する。より詳しくは、ここで、色相０°から色相１２０°までの間の所定の色相を色相Ｈ１１とする。また、色相Ｈ１１から色相１２０°までの間の所定の色相を色相Ｈ１２とする。また、色相１２０°から色相２４０°までの間の所定の色相を色相Ｈ１３とする。また、色相Ｈ１３から色相２４０°までの間の所定の色相を色相Ｈ１４とする。また、色相２４０°から色相３６０°までの間の所定の色相を色相Ｈ１５とする。また、色相Ｈ１５から色相３６０°までの間の所定の色相を色相Ｈ１６とする。例えば、色相Ｈ１３は、第１中間色での色相であり、色相Ｈ１４は、第２中間色での色相である。
【００５２】
拡大色空間は、色相０°から色相Ｈ１１までの間の色相において、最大彩度における最大明度が、第１副画素最大明度Ｖ１である。また、拡大色空間は、色相Ｈ１１から色相Ｈ１２までの間の色相において、最大彩度における最大明度が、色相のＨ１１からＨ１２までの変化に応じて、第１副画素最大明度Ｖ１から第２副画素最大明度Ｖ２まで、直線的に増加している。また、拡大色空間は、色相Ｈ１２から色相１２０°を経て、色相Ｈ１３までの間の色相において、最大彩度における最大明度が、第２副画素最大明度Ｖ２である。
【００５３】
また、拡大色空間は、色相Ｈ１３から色相Ｈ１４までの色相において、最大彩度における最大明度が、色相のＨ１３からＨ１４までの変化に応じて、第２副画素最大明度Ｖ２から第３副画素最大明度Ｖ３まで、直線的に低下している。また、拡大色空間は、色相Ｈ１４から色相２４０°を経て、色相Ｈ１５までの間の色相において、最大彩度における最大明度が、第３副画素最大明度Ｖ３である。
【００５４】
また、拡大色空間は、色相Ｈ１５から色相Ｈ１６までの色相において、最大彩度における最大明度が、色相のＨ１５からＨ１６までの変化に応じて、第３副画素最大明度Ｖ３から第１副画素最大明度Ｖ１まで、直線的に増加している。また、拡大色空間は、色相Ｈ１６から色相３６０°までの間の色相において、最大彩度における最大明度が、第１副画素最大明度Ｖ１である。
【００５５】
なお、拡大色空間記憶部２４は、色相Ｈ１１、Ｈ１２、Ｈ１３、Ｈ１４、Ｈ１５、Ｈ１６を、書き込まれた第１色、第２色、第３色の色相における彩度に応じた最大明度の値に基づいて決定する。
【００５６】
拡大色空間は、彩度が最大彩度Ｓ０から小さくなるに従って、色相毎に、線分Ｌ１、Ｌ２及びＬ３に従って、最大明度が変化する。すなわち、拡大色空間は、円柱形状に、彩度Ｓが高くなるほど明度Ｖの最大値が低くなる略台形形状を加え、略台形形状の一部を色相に応じて欠けさせた形状の色空間となる。略台形形状の一部の欠けは、色相に基づいて変化し、図９及び図１０で説明した形状に基づいたものとなる拡大色空間記憶部２４は、第１色、第２色及び第３色の色相における彩度に応じた最大明度の値に基づいて、以上説明した拡大色空間を導出して記憶する。画像表示パネル４０は、入力信号を伸長することで、再現可能な色空間を、拡大色空間の一部の円柱形状の色空間から、拡大色空間の全体に広げて、色を表示する。
【００５７】
（表示装置の処理動作）
次に、信号処理部２０による処理動作について説明する。信号処理部２０は、表示する画像の情報である入力信号が制御装置１１から入力される。入力信号は、各画素に対して、その位置で表示する画像（色）の情報を入力信号として含んでいる。具体的には、第（ｐ，ｑ）番目の画素（但し、１≦ｐ≦Ｉ，１≦ｑ≦Ｑ０）に対して、信号値がｘ１−（ｐ，ｑ）の第１副画素の入力信号、信号値がｘ２−（ｐ，ｑ）の第２副画素の入力信号、及び、信号値がｘ３−（ｐ，ｑ）の第３副画素の入力信号が含まれる信号が信号処理部２０に入力される。
【００５８】
信号処理部２０は、入力信号を処理することで、第１副画素４９Ｒの表示階調を決定するための第１副画素の出力信号（信号値Ｘ１−（ｐ，ｑ））、第２副画素４９Ｇの表示階調を決定するための第２副画素の出力信号（信号値Ｘ２−（ｐ，ｑ））、第３副画素４９Ｂの表示階調を決定するための第３副画素の出力信号（信号値Ｘ３−（ｐ，ｑ））、及び、第４副画素４９Ｗの表示階調を決定するための第４副画素の出力信号（信号値Ｘ４−（ｐ，ｑ））を生成し、画像表示パネル駆動部３０に出力する。
【００５９】
最初に、信号処理部２０は、色データ算出部２２により、複数の画素４８における副画素４９の入力信号値に基づき、これらの複数の画素４８における色相Ｈ、彩度Ｓ及び明度Ｖ（Ｓ）を求める。
【００６０】
ここで、彩度Ｓ及び明度Ｖ（Ｓ）は、Ｓ＝（Ｍａｘ−Ｍｉｎ）／Ｍａｘ及びＶ（Ｓ）＝Ｍａｘで表される。彩度Ｓは０から１までの値をとることができ、明度Ｖ（Ｓ）は０から（２ｎ−１）までの値をとることができ、ｎは表示階調ビット数である。また、Ｍａｘは、画素への第１副画素の入力信号値、第２副画素の入力信号値及び第３副画素の入力信号値の３つの副画素の入力信号値の最大値である。Ｍｉｎは、画素への第１副画素の入力信号値、第２副画素の入力信号値及び第３副画素の入力信号値の３つの副画素の入力信号値の最小値である。
【００６１】
一般に、第（ｐ，ｑ）番目の画素において、第１副画素４９Ｒの入力信号（信号値ｘ１−（ｐ，ｑ））、第２副画素４９Ｇの入力信号（信号値ｘ２−（ｐ，ｑ））及び第３副画素４９Ｂの入力信号（信号値ｘ３−（ｐ，ｑ））に基づき、円柱のＨＳＶ色空間における彩度（Saturation）Ｓ（ｐ，ｑ）、明度（Value）Ｖ（Ｓ）（ｐ，ｑ）及び色相（Hue）Ｈ（ｐ，ｑ）は、次の式（１）から式（３）より求めることができる。
【００６２】
Ｓ（ｐ，ｑ）＝（Ｍａｘ（ｐ，ｑ）−Ｍｉｎ（ｐ，ｑ））／Ｍａｘ（ｐ，ｑ）・・・（１）
【００６３】
Ｖ（Ｓ）（ｐ，ｑ）＝Ｍａｘ（ｐ，ｑ）・・・（２）
【００６４】
【数１】
2016126307.tif 000003
【００６５】
ここで、Ｍａｘ（ｐ，ｑ）は、（ｘ１−（ｐ，ｑ）、ｘ２−（ｐ，ｑ）、ｘ３−（ｐ，ｑ））の３個の副画素４９の入力信号値の最大値であり、Ｍｉｎ（ｐ，ｑ）は、（ｘ１−（ｐ，ｑ）、ｘ２−（ｐ，ｑ）、ｘ３−（ｐ，ｑ））の３個の副画素４９の入力信号値の最小値である。実施形態１ではｎ＝８とした。すなわち、表示階調ビット数を８ビット（表示階調の値を０から２５５の２５６階調）とした。
【００６６】
次に、信号処理部２０は、α算出部２６により、複数の画素４８について、入力信号と、色データ算出部２２が算出したその入力信号が表示させようとする色の色相及び彩度と、拡大色空間とから、入力信号を伸長するための伸長係数αを算出する。
【００６７】
より詳しくは、信号処理部２０は、α算出部２６により、入力信号の信号値と設定伸長係数α０とを掛け合わせて、第１比較信号値を算出する。信号処理部２０は、α算出部２６により、第１比較信号値に対応する色の明度が拡大色空間の明度の上限値を超えない場合は、設定伸長係数α０を、伸長係数αとする。また、信号処理部２０は、第１比較信号値に対応する色の明度が拡大色空間の明度の上限値を超える場合は、α算出部２６により、入力信号の信号値と伸長係数αとを掛け合わせて算出される第２比較信号値に対応する色の明度が、拡大色空間の明度の上限値を超えないように、伸長係数αを算出する。すなわち、信号処理部２０は、第１比較信号値に対応する色の明度が拡大色空間の明度の上限値を超える場合は、次の式（４）により伸長係数αを算出する。
【００６８】
α＝Ｖｍａｘ（Ｓ）／Ｖ（Ｓ）・・・（４）
【００６９】
ここで、Ｖｍａｘ（Ｓ）は、拡大色空間における最大明度であり、色相毎に異なる値を有する。信号処理部２０は、色データ算出部２２により算出した色相Ｈに基づき、拡大色空間記憶部２４により記憶した拡大色空間のデータから、各画素４８の最大明度Ｖｍａｘ（Ｓ）を読み出す。
【００７０】
次に、信号処理部２０は、Ｗ変換部２７により、第４副画素の出力信号値Ｘ４−（ｐ，ｑ）を、少なくとも第１副画素の入力信号（信号値ｘ１−（ｐ，ｑ））、第２副画素の入力信号（信号値ｘ２−（ｐ，ｑ））及び第３副画素の入力信号（信号値ｘ３−（ｐ，ｑ））に基づいて算出する。より詳しくは、信号処理部２０は、Ｗ変換部２７により、Ｍｉｎ（ｐ，ｑ）と伸張係数αとの積に基づき第４副画素の出力信号値Ｘ４−（ｐ，ｑ）を求める。具体的には、信号処理部２０は、下記の式（５）に基づいて信号値Ｘ４−（ｐ，ｑ）を求めることができる。式（５）では、Ｍｉｎ（ｐ，ｑ）と伸張係数αとの積をχで除しているが、これに限定するものではない。χについては後述する。
【００７１】
Ｘ４−（ｐ，ｑ）＝Ｍｉｎ（ｐ，ｑ）・α／χ・・・（５）
【００７２】
ここで、χは表示装置１０に依存した定数である。白色を表示する第４副画素４９Ｗには、カラーフィルタが配置される場合がある。第１副画素４９Ｒに入力される第１副画素４９Ｒの出力信号は第３副画素４９Ｂの出力信号の最大信号値に律速された値を有する信号が入力され、第２副画素４９Ｇに入力される第２副画素４９Ｇの出力信号は第３副画素４９Ｂの出力信号の最大信号値に律速された値を有する信号が入力され、第３副画素４９Ｂに第３副画素４９Ｂの出力信号の最大信号値に相当する値を有する信号が入力されたときの、画素４８又は画素４８の群が備える第１副画素４９Ｒ、第２副画素４９Ｇ及び第３副画素４９Ｂの集合体の輝度をＢＮ１−３とする。また、画素４８又は画素４８の群が備える第４副画素４９Ｗに、第４副画素４９Ｗの出力信号の最大信号値に相当する値を有する信号が入力されたときの第４副画素４９Ｗの輝度をＢＮ４としたときを想定する。すなわち、第１副画素４９Ｒ、第２副画素４９Ｇ及び第３副画素４９Ｂの集合体によって最大輝度の白色が表示され、この白色の輝度がＢＮ１−３で表される。すると、χを表示装置１０に依存した定数としたとき、定数χは、χ＝ＢＮ４／ＢＮ１−３で表される。
【００７３】
具体的には、第１副画素４９Ｒ、第２副画素４９Ｇ及び第３副画素４９Ｂの集合体に、次の表示階調の値を有する入力信号として、信号値ｘ１−（ｐ，ｑ）＝２５５、信号値ｘ２−（ｐ，ｑ）＝２５５、信号値ｘ３−（ｐ，ｑ）＝２５５が入力されたときにおける白色の輝度ＢＮ１−３に対して、第４副画素４９Ｗに表示階調の値２５５を有する入力信号が入力されたと仮定したときの輝度ＢＮ４は、例えば、１．５倍である。すなわち、実施形態１にあっては、χ＝１．５である。
【００７４】
次に、信号処理部２０は、伸長処理部２８により、少なくとも第１副画素の入力信号（信号値ｘ１−（ｐ，ｑ））及び伸長係数αに基づいて、第１副画素の出力信号（信号値Ｘ１−（ｐ，ｑ））を算出し、少なくとも第２副画素の入力信号（信号値ｘ２−（ｐ，ｑ））及び伸長係数αに基づいて第２副画素の出力信号（信号値Ｘ２−（ｐ，ｑ））を算出し、少なくとも第３副画素の入力信号（信号値ｘ３−（ｐ，ｑ））及び伸長係数αに基づいて第３副画素の出力信号（信号値Ｘ３−（ｐ，ｑ））を算出する。
【００７５】
具体的には、第１副画素の入力信号、伸長係数α及び第４副画素の出力信号に基づいて第１副画素の出力信号を算出し、第２副画素の入力信号、伸長係数α及び第４副画素の出力信号に基づいて第２副画素の出力信号を算出し、第３副画素の入力信号、伸長係数α及び第４副画素の出力信号に基づいて第３副画素の出力信号を算出する。
【００７６】
つまり、信号処理部２０は、χを表示装置に依存した定数としたとき、第（ｐ，ｑ）番目の画素（あるいは、第１副画素４９Ｒ、第２副画素４９Ｇ及び第３副画素４９Ｂの組）への第１副画素の出力信号値Ｘ１−（ｐ，ｑ）、第２副画素の出力信号値Ｘ２−（ｐ，ｑ）及び第３副画素の出力信号値Ｘ３−（ｐ，ｑ）を、以下の式（６），（７），（８）から求める。
【００７７】
Ｘ１−（ｐ，ｑ）＝α・ｘ１−（ｐ，ｑ）−χ・Ｘ４−（ｐ，ｑ）・・・（６）
Ｘ２−（ｐ，ｑ）＝α・ｘ２−（ｐ，ｑ）−χ・Ｘ４−（ｐ，ｑ）・・・（７）
Ｘ３−（ｐ，ｑ）＝α・ｘ３−（ｐ，ｑ）−χ・Ｘ４−（ｐ，ｑ）・・・（８）
【００７８】
このように、信号処理部２０は、各副画素４９の出力信号を生成する。次に、第（ｐ，ｑ）番目の画素４８における出力信号である信号値Ｘ１−（ｐ，ｑ）、Ｘ２−（ｐ，ｑ）、Ｘ３−（ｐ，ｑ）、Ｘ４−（ｐ，ｑ）の求め方（伸張処理）を説明する。次の処理は、（第１副画素４９Ｒ＋第４副画素４９Ｗ）によって表示される第１原色の輝度、（第２副画素４９Ｇ＋第４副画素４９Ｗ）によって表示される第２原色の輝度、（第３副画素４９Ｂ＋第４副画素４９Ｗ）によって表示される第３原色の輝度の比を保つように行われる。しかも、色調を保持（維持）するように行われる。さらには、階調−輝度特性（ガンマ特性、γ特性）を保持（維持）するように行われる。また、いずれかの画素４８又は画素４８の群において、入力信号値のすべてが０である場合又は小さい場合、このような画素４８又は画素４８の群を含めることなく、伸張係数αを求めればよい。
【００７９】
（第１工程）
まず、信号処理部２０は、複数の画素４８における副画素４９の入力信号値に基づき、これらの複数の画素４８における色相Ｈ、彩度Ｓ及び明度Ｖ（Ｓ）を求める。具体的には、第（ｐ，ｑ）番目の画素４８への第１副画素４９Ｒの入力信号である信号値ｘ１−（ｐ，ｑ）、第２副画素４９Ｇの入力信号である信号値ｘ２−（ｐ，ｑ）、第３副画素４９Ｂの入力信号である信号値ｘ３−（ｐ，ｑ）に基づき、式（１）、（２）、（３）から、彩度Ｓ（ｐ，ｑ）、明度Ｖ（Ｓ）（ｐ，ｑ）、色相Ｈ（ｐ，ｑ）を求める。信号処理部２０は、この処理を、すべての画素４８に対して行う。
【００８０】
（第２工程）
次いで、信号処理部２０は、算出したこれらの複数の画素４８における色相Ｈ、彩度Ｓ及び明度Ｖ（Ｓ）と、拡大色空間とから、伸長係数αを算出する。具体的には、信号処理部２０は、α算出部２６により、入力信号の信号値と設定伸長係数α０とを掛け合わせて、第１比較信号値を算出する。信号処理部２０は、α算出部２６により、第１比較信号値に対応する色の明度が拡大色空間の明度の上限値を超えない場合は、設定伸長係数α０を、伸長係数αとする。また、信号処理部２０は、第１比較信号値に対応する色の明度が拡大色空間の明度の上限値を超える場合は、入力信号の信号値と伸長係数αとを掛け合わせて算出される第２比較信号値に対応する色の明度が、拡大色空間の明度の上限値を超えないように、式（４）により、伸長係数αを算出する。なお、信号処理部２０は、伸長係数αを算出せず、操作者の設定又は制御装置１１による入力により、伸長係数αを取得してもよい。
【００８１】
（第３工程）
次に、信号処理部２０は、第（ｐ，ｑ）番目の画素４８における信号値Ｘ４−（ｐ，ｑ）を、少なくとも、信号値ｘ１−（ｐ，ｑ）、信号値ｘ２−（ｐ，ｑ）及び信号値ｘ３−（ｐ，ｑ）に基づいて求める。実施形態１にあっては、信号処理部２０は、信号値Ｘ４−（ｐ，ｑ）を、Ｍｉｎ（ｐ，ｑ）、伸張係数α及び定数χに基づいて決定する。より具体的には、信号処理部２０は、上述したとおり、信号値Ｘ４−（ｐ，ｑ）を、上記の式（５）に基づいて求める。信号処理部２０は、Ｐ０×Ｑ０個の全画素４８において信号値Ｘ４−（ｐ，ｑ）を求める。
【００８２】
（第４工程）
その後、信号処理部２０は、第（ｐ，ｑ）番目の画素４８における信号値Ｘ１−（ｐ，ｑ）を、信号値ｘ１−（ｐ，ｑ）、伸張係数α及び信号値Ｘ４−（ｐ，ｑ）に基づき求め、第（ｐ，ｑ）番目の画素４８における信号値Ｘ２−（ｐ，ｑ）を、信号値ｘ２−（ｐ，ｑ）、伸張係数α及び信号値Ｘ４−（ｐ，ｑ）に基づき求め、第（ｐ，ｑ）番目の画素４８における信号値Ｘ３−（ｐ，ｑ）を、信号値ｘ３−（ｐ，ｑ）、伸張係数α及び信号値Ｘ４−（ｐ，ｑ）に基づき求める。具体的には、信号処理部２０は、第（ｐ，ｑ）番目の画素４８における信号値Ｘ１−（ｐ，ｑ）、信号値Ｘ２−（ｐ，ｑ）及び信号値Ｘ３−（ｐ，ｑ）を、上記の式（６）から（８）に基づいて求める。
【００８３】
次に、上述の第１工程から第４工程において説明した信号処理部２０による各副画素４９の出力信号の生成処理について、フローチャートに基づき説明する。図１１は、実施形態１に係る信号処理部による各副画素の出力信号の生成処理を説明するフローチャートである。
【００８４】
図１１に示すように、各副画素４９の出力信号を生成する場合、信号処理部２０は、最初に、色データ算出部２２により、制御装置１１から入力された入力信号に基づき、複数の画素４８における色相Ｈ、彩度Ｓ及び明度Ｖ（Ｓ）を求める（ステップＳ１２）。具体的には、信号処理部２０は、式（１）、（２）、（３）から、彩度Ｓ（ｐ，ｑ）、明度Ｖ（Ｓ）（ｐ，ｑ）、色相Ｈ（Ｓ）（ｐ，ｑ）を求める。
【００８５】
色相Ｈ、彩度Ｓ及び明度Ｖ（Ｓ）を求めた後、信号処理部２０は、α算出部２６により、入力信号と設定伸長係数α０とに基づき、第１比較信号値を算出する（ステップＳ１４）。信号処理部２０は、α算出部２６により、入力信号の信号値と設定伸長係数α０とを掛け合わせて、第１比較信号値を算出する。すなわち、信号処理部２０は、信号値ｘ１−（ｐ，ｑ）、信号値ｘ２−（ｐ，ｑ）及び信号値ｘ３−（ｐ，ｑ）に、それぞれ設定伸長係数α０を掛け合わせ、第１比較信号値を算出する。そして、信号処理部２０は、この第１比較信号値から算出した第１比較信号に基づく色の明度を算出する。
【００８６】
第１比較信号値を算出した後、信号処理部２０は、α算出部２６により、第１比較信号に基づく色の明度が、拡大色空間の最大明度Ｖｍａｘ（Ｓ）より大きいかを比較する（ステップＳ１６）。信号処理部２０は、α算出部２６により、求めた色相Ｈにおける拡大色空間の最大明度Ｖｍａｘ（Ｓ）を読み出す。そして、信号処理部２０は、α算出部２６により、読み出した拡大色空間の最大明度Ｖｍａｘ（Ｓ）と第１比較信号に基づく色の明度との大小を比較する。
【００８７】
第１比較信号に基づく色の明度が、拡大色空間の最大明度Ｖｍａｘ（Ｓ）より小さい場合（ステップＳ１６でＮｏ）、信号処理部２０は、α算出部２６により、設定伸長係数α０を伸長係数αとする（ステップＳ１８）。すなわち、あらかじめ設定された設定伸長係数α０により入力信号を伸長しても、表示する色が拡大色空間内で再現できるため、信号処理部２０は、伸長係数αに調整を加えず、設定されていた設定伸長係数α０を伸長係数αとする。
【００８８】
第１比較信号に基づく色の明度が、拡大色空間の最大明度Ｖｍａｘ（Ｓ）より小さい場合（ステップＳ１６でＹｅｓ）、信号処理部２０は、α算出部２６により、第２比較信号値に基づく色の明度が拡大色空間の最大明度Ｖｍａｘ（Ｓ）を超えないように、伸長係数αを算出する（ステップＳ１９）。第２比較信号値は、伸長係数αと入力信号の信号値とを掛け合わせたものである。信号処理部２０は、α算出部２６により、第２比較信号に基づく色の明度が、拡大色空間の最大明度Ｖｍａｘ（Ｓ）を超えないように、伸長係数αを算出する。具体的には、信号処理部２０は、α算出部２６により、式（４）に基づいて伸長係数αを算出する。
【００８９】
伸長係数αを算出した後、信号処理部２０は、Ｗ変換部２７により、入力信号の信号値と伸長係数αとに基づき、第４副画素の出力信号を生成する（ステップＳ２０）。信号処理部２０は、上述したとおり、第４副画素の出力信号値Ｘ４−（ｐ，ｑ）を、上記の式（５）に基づいて求める。
【００９０】
第４副画素の出力信号を生成した後、信号処理部２０は、伸長処理部２８により、入力信号の信号値、伸長係数α及び第４副画素の出力信号に基づき、第１副画素４９Ｒ、第２副画素４９Ｇ、第３副画素４９Ｂの出力信号を生成する（ステップＳ２２）。信号処理部２０は、第（ｐ，ｑ）番目の画素４８における第１副画素の出力信号値Ｘ１−（ｐ，ｑ）、第２副画素の出力信号値Ｘ２−（ｐ，ｑ）及び第３副画素の出力信号値Ｘ３−（ｐ，ｑ）を、上記の式（６）から（８）に基づいて求める。これにより、信号処理部２０による各副画素４９の出力信号の生成処理は終了する。
【００９１】
以上説明したように、実施形態１に係る表示装置１０は、信号処理部２０が、拡大色空間を記憶している。そして、表示装置１０は、信号処理部２０により、画像表示パネル４０に表示させる色を、拡大色空間内で表現できる色まで伸長することができる。上述のように、拡大色空間は、各副画素４９の素子特性に応じて制限されていた各副画素４９の最大明度に制限を加えない場合に再現可能な色空間である。従って、実施形態１に係る表示装置１０は、基準色空間内の色より高い明度の色を表示することができるため、明度の高い画像を適切に表示することができる。
【００９２】
さらに、表示装置１０は、拡大色空間に基づいた表示可能な色の明度の上限値が、色相毎に異なる。従って、表示装置１０は、基準色空間内の色より高い明度の色を表示する場合であっても、色相毎に表示可能な範囲で色を表示する。従って、表示装置１０は、階調つぶれを抑制することができるため、明度の高い画像をより適切に表示することができる。
【００９３】
さらに、表示装置１０は、表示する色の色相が、第１色、第２色及び第３色のいずれか１つの色の色相と、その他の１つの色の色相との間の色相である場合は、最大明度が、そのいずれか１つの色の最大明度と他の１つの色の最大明度との間の値となる。例えば、表示装置１０は、表示する色の色相が、第２色（緑色）と第３色（青色）との間の色相（図１０の色相１２０°から色相２４０°の間の色相）である場合は、最大明度が、第３副画素最大明度Ｖ３以上、第２副画素最大明度Ｖ２以下となっている。従って、表示装置１０は、いずれの色相においても、階調つぶれを抑制しながら、明度の高い画像を適切に表示することができる。
【００９４】
さらに、表示装置１０は、表示する色の最大明度が、表示する色の色相に応じて、段階的に変化する。従って、表示装置１０は、いずれの色相においても、階調つぶれを抑制しながら、明度の高い画像を適切に表示することができる。
【００９５】
なお、実施形態１において、表示装置１０は、最大明度の白色を表示しようとする場合、図９に示すように、彩度Ｓは０であり、明度Ｖは最大明度のＶ３＋Ｖ４にプロットされる白色を表示する。この場合、各副画素４９の入力信号は、最大階調の信号値であり、さらに、最大限まで伸長を行っている。しかし、例えば、表示装置１０は、設定により、白色の最大明度に制限を掛ける場合がある。図１２は、最大明度に制限をかけた場合の色空間を説明する概念図である。図１２に示すように、表示装置１０は、白色の最大明度がＶ３＋Ｖ４より小さいＶ５となるように、最大明度に制限を掛けている。この場合、表示装置１０は、信号処理部２０により、最大明度の白を表示する場合、最大階調の入力信号値を最大限に伸長した出力信号値に対し、白色の最大明度がＶ５となるように制限を加えた規定出力信号を生成する。
【００９６】
しかし、表示装置１０は、このような場合においても、白色以外の色を表示する場合は、最大明度を、拡大色空間内であってＶ５以上の明度に伸長することができる。このような場合、第１副画素４９Ｒ及び第２副画素４９Ｇに加え、第３副画素４９Ｂも、設定された明度Ｖ５以上に、明度を伸長することが可能となる。
【００９７】
（実施形態２）
次に、本発明の実施形態２について説明する。実施形態２に係る表示装置１０ａは、画素が第４副画素を含まず、第１副画素、第２副画素及び第３副画素で構成されている点で、実施形態１に係る表示装置１０とは異なる。実施形態２に係る表示装置１０ａは、その他の点で実施形態１に係る表示装置１０と構成が共通するため、共通する箇所の説明を省略する。
【００９８】
図１３は、実施形態２に係る画像表示パネルの副画素の配列を示す図である。図１３に示すように、実施形態２に係る画像表示パネル４０ａが有する画素４８ａは、第１副画素４９Ｒと、第２副画素４９Ｇと、第３副画素４９Ｂとを有する。実施形態２に係る画像表示パネル４０ａは、第４副画素４９Ｗを有さない。
【００９９】
図１４は、実施形態２に係る信号処理部の構成を示すブロック図である。図１４に示すように、実施形態２に係る信号処理部２０ａは、図６に示す実施形態１に係る信号処理部２０に対し、Ｗ変換部を有さない。信号処理部２０ａは、赤色、緑色、青色の色を組み合わせて表示させる入力信号の入力値を、赤色、緑色、青色及び白色の信号値に変換せず、そのまま赤色、緑色、青色の信号値として出力する。
【０１００】
次に、実施形態２に係る信号処理部２０ａが記憶する拡大色空間について説明する。図１５は、実施形態２における拡大色空間の各色相における彩度と明度との関係を示す概念図である。第４副画素４９Ｗの白色成分が加わらない場合、基準色空間は、図７で示す円柱形状のＨＳＶ色空間となる。すなわち、基準色空間は、図１５の線分Ｌ０ａで示す最大明度内の色空間となる。線分Ｌ０ａが示すように、この場合の基準色空間は、彩度によらず、最大明度が第３副画素最大明度Ｖ３となる。
【０１０１】
図１５の線分Ｌ１ａは、第１副画素４９Ｒのみによって、最大明度に制限を加えずに、第１色（赤色）の色相の色を表示させた場合における、彩度に応じた最大明度を示している。すなわち、線分Ｌ１ａは、入力信号を伸長することにより、第１副画素４９Ｒに第１副画素最大明度の色を表示するための出力信号を出力した場合における、第１色（赤色）の色相で再現される色空間の上限値である。
【０１０２】
図１５の線分Ｌ２ａは、第２副画素４９Ｇのみによって、最大明度に制限を加えずに、第２色（緑色）の色相の色を表示させた場合における、彩度に応じた最大明度を示している。すなわち、線分Ｌ２ａは、入力信号を伸長することにより、第２副画素４９Ｇに第２副画素最大明度の色を表示するための出力信号を出力した場合における、第２色（緑色）の色相で再現される色空間の上限値である。
【０１０３】
図１５の線分Ｌ３ａは、第３副画素４９Ｂのみによって、最大明度に制限を加えずに、第３色（青色）の色相の色を表示させた場合における、彩度に応じた最大明度を示している。すなわち、線分Ｌ３ａは、第３副画素４９Ｂに第３副画素最大明度の色を表示するための出力信号を出力した場合における、第３色（青色）の色相で再現される色空間の上限値である。また、線分Ｌ３ａは、第３副画素最大明度に応じたものなので、基準色空間の線分Ｌ０ａと同じものとなる。
【０１０４】
線分Ｌ１ａに示すように、明度を制限しない場合における第１色（赤色）の色相での最大明度は、彩度Ｓ０から彩度Ｓ１ａまでにおいて、第１副画素最大明度Ｖ１である。そして、この最大明度は、彩度Ｓ１ａから彩度０に彩度の低下に応じて、低下する。この最大明度は、彩度０において、第３副画素最大明度Ｖ３となる。
【０１０５】
線分Ｌ２ａに示すように、明度を制限しない場合における第２色（緑色）の色相での最大明度は、彩度Ｓ０から彩度Ｓ２ａまでにおいて、第２副画素最大明度Ｖ２である。そして、この最大明度は、彩度Ｓ１ａから彩度０に彩度の低下に応じて、低下する。この最大明度は、彩度０において、第３副画素最大明度Ｖ３となる。
【０１０６】
上述のように、線分Ｌ３ａは、線分Ｌ０ａと同じ値をとる。従って、明度を制限しない場合における第３色（青色）の色相での最大明度は、基準色空間における最大明度と同じとなる。
【０１０７】
実施形態２に係る拡大色空間においても、彩度Ｓ０における第１色、第２色、第３色の色相での最大明度は、実施形態１に係る拡大色空間と同じ値である。従って、彩度Ｓ０における色相毎の彩度と最大明度との関係は、実施形態１と同様に、図１０に示すものとなる。実施形態２に係る拡大色空間記憶部２４は、図１５に示すような第１色、第２色、第３色の色相における彩度に応じた最大明度の値を組み合わせて、各色相における彩度に応じた最大明度の値を算出し、その最大明度内の色空間を、拡大色空間として記憶する。ただし、拡大色空間記憶部２４は、拡大色空間として、第１副画素最大明度Ｖ１の範囲内、第２副画素最大明度Ｖ２の範囲内、及び第３副画素最大明度の範囲内における色空間を記憶してもよい。ここでいう第１副画素最大明度Ｖ１の範囲内とは、第１色において、明度がゼロからＶ１との間の範囲である。また、第２副画素最大明度Ｖ２の範囲内は、第２色において、明度がゼロからＶ２との間の範囲である。また、第３副画素最大明度Ｖ３の範囲内は、第３色において、明度がゼロからＶ３との間の範囲である。ただし、この場合、拡大色空間は、第１色及び第２色の少なくともいずれかの最大明度（表示可能な明度の上限値）が、Ｖ３よりも大きい。
【０１０８】
実施形態２に係る表示装置１０ａは、画像表示パネル４０ａに表示させる色を、このような拡大色空間内で再現可能な色に伸長することができる。表示装置１０ａの信号処理部２０ａは、画像表示パネル４０ａに表示させる色を拡大色空間内で再現可能な色に伸長するために、実施形態１に係る信号処理部２０の処理と同様の処理を行う。ただし、信号処理部２０ａは、第４副画素の出力信号については、生成しない。
【０１０９】
以上のように、実施形態２に係る表示装置１０ａは、信号処理部２０ａの拡大色空間記憶部２４において、拡大色空間のデータを記憶する。また、表示装置１０ａは、信号処理部２０ａにおいて、画像表示パネル４０ａに表示させる色を拡大色空間内で再現可能な色に伸長するための伸長係数αを決定する。そして、表示装置１０ａは、伸長係数αと入力信号とに基づき、第１副画素４９Ｒ、第２副画素４９Ｇ、第３副画素４９Ｂの出力信号を生成する。そして、この拡大色空間は、基準色空間よりも高い明度の色を再現可能である。従って、実施形態２に係る表示装置１０ａは、第４副画素４９Ｗを有さない場合においても、実施形態１と同様に、明度の高い画像を適切に表示することができる。
【０１１０】
（実施形態３）
次に、本発明の実施形態３について説明する。実施形態３に係る表示装置１０ｂは、画像表示パネルが液晶表示パネルである点で、実施形態１に係る表示装置１０とは異なる。実施形態３に係る表示装置１０ｂは、その他の点で実施形態１に係る表示装置１０と構成が共通するため、共通する箇所の説明を省略する。
【０１１１】
図１６は、実施形態３に係る表示装置の構成の一例を示すブロック図である。図１６に示すように、実施形態３に係る表示装置１０ｂは、信号処理部２０ｂと、液晶表示パネルである画像表示パネル４０ｂと、光源装置制御部７０ｂと、光源装置７１ｂとを有する。表示装置１０ｂは、信号処理部２０ｂが表示装置１０ｂの各部に信号を送り、光源装置制御部７０ｂが、信号処理部２０ｂからの信号に基づいて光源装置７１ｂの駆動を制御し、光源装置７１ｂが光源装置制御部７０ｂの信号に基づいて画像表示パネル４０ｂを背面から照明することにより、画像を表示する。
【０１１２】
図１７は、実施形態３に係る画像表示パネルの概念図である。画像表示パネル４０ｂは、図１７に示すように、第１色を表示する第１副画素４９Ｒｂ、第２色を表示する第２副画素４９Ｇｂ、第３色を表示する第３副画素４９Ｂｂ、及び、第４色を表示する第４副画素４９Ｗｂを含む画素４８ｂが、２次元のマトリクス状（行列状）に配列されている。
【０１１３】
画素４８ｂは、対向する２つの電極間に液晶層が設けられている。この２つの電極間に画像出力信号による電圧が印加されると、この２つの電極は、電極間の液晶層内に電界を生じさせる。この電界は、液晶層内の液晶素子をツイストさせて複屈折率を変化させる。表示装置１０ｂは、光源装置７１ｂから照射される光の光量を、この液晶素子の複屈折率変化により調整して、所定の画像を表示させる。
【０１１４】
図１８は、実施形態３に係る信号処理部の構成を示すブロック図である。図１８に示すように、信号処理部２０ｂは、ＢＬ輝度調整部２５ｂを有する。信号処理部２０ｂは、伸長係数αｂを算出し、入力信号及び伸長係数αｂから、出力信号を生成する。信号処理部２０ｂによるこの処理については後述する。
【０１１５】
この出力信号は、αｂ倍伸長されている。信号処理部２０ｂは、伸長されていない状態の画像の輝度と同じ画像の輝度とするために、光源装置７１ｂの輝度を、伸長係数αｂに基づき減少させる場合がある。表示装置１０ｂは、ＢＬ輝度調整部２５ｂにより、光源装置７１ｂの輝度を、（１／αｂ）倍とする。これによって、表示装置１０ｂは、光源装置７１ｂの消費電力の低減を図ることができる。信号処理部２０ｂは、この（１／αｂ）を光源装置制御信号ＳＢＬとして光源装置制御部７０ｂに出力する。
【０１１６】
具体的には、ＢＬ輝度調整部２５ｂは、α算出部２６ｂと電気的に接続されている。ＢＬ輝度調整部２５ｂは、α算出部２６から、伸長係数αｂの情報が入力される。ＢＬ輝度調整部２５ｂは、この伸長係数αｂに基づき、光源装置７１ｂの輝度を、（１／αｂ）倍とする信号を生成して、画像表示パネル駆動部３０ｂに出力する。
【０１１７】
光源装置７１ｂは、画像表示パネル４０ｂの背面に配置され、光源装置制御部７０ｂの制御により画像表示パネル４０ｂに向けて光を照射することで、画像表示パネル４０ｂを照明して、画像を表示させる。光源装置７１ｂは、画像表示パネル４０ｂに光を照射する。
【０１１８】
光源装置制御部７０ｂは、光源装置７１ｂから出力する光の光量等を制御する。具体的には、光源装置制御部７０ｂは、信号処理部２０ｂから出力される光源装置制御信号ＳＢＬに基づいて、光源装置７１ｂに供給する電圧等をＰＷＭ（Pulse  Width  Modulation）等で調整することで、画像表示パネル４０ｂを照射する光の光量（光の強度）を制御する。
【０１１９】
次に、信号処理部２０ｂによる出力信号の生成処理及び光源装置７１ｂの輝度の低減処理について、フローチャートに基づき説明する。図１９は、実施形態３に係る信号処理部による出力信号の生成処理及び光源装置の輝度の低減処理を説明したフローチャートである。
【０１２０】
図１９に示すように、信号処理部２０ｂは、最初に、色データ算出部２２により、各画素４８ｂの入力信号に基づき、各画素４８ｂにおける色相Ｈ、彩度Ｓ及び明度Ｖ（Ｓ）を求める（ステップＳ３２）。
【０１２１】
色相Ｈ、彩度Ｓ及び明度Ｖ（Ｓ）を求めた後、信号処理部２０ｂは、α算出部２６ｂにより、各画素４８ｂの入力信号に基づく色相Ｈ及び彩度Ｓにおける拡大色空間での最大明度Ｖｍａｘ（Ｓ）を、読み出す（ステップＳ３４）。α算出部２６ｂは、拡大色空間記憶部２４から、色データ算出部２２が算出した各画素４８ｂの色相Ｈ及び彩度Ｓにおける、拡大色空間の最大明度Ｖｍａｘ（Ｓ）を読み出す。
【０１２２】
拡大色空間の最大明度Ｖｍａｘ（Ｓ）を読み出した後、信号処理部２０ｂは、α算出部２６ｂにより、入力信号に基づく明度Ｖ（Ｓ）を拡大色空間の最大明度Ｖｍａｘ（Ｓ）まで伸長するための、各画素４８ｂに対する仮伸長係数α１を算出する（ステップＳ３６）。すなわち、α算出部２６ｂは、各画素４８ｂについて、次の式（９）により、明度Ｖ（Ｓ）を拡大色空間の最大明度Ｖｍａｘまで伸長するための係数である仮伸長係数α１を算出する。α算出部２６ｂは、１フレーム中の各画素４８ｂに対する仮伸長係数α１を算出する。
【０１２３】
α１＝Ｖｍａｘ（Ｓ）／Ｖ（Ｓ）・・・（９）
【０１２４】
各画素４８ｂに対する仮伸長係数α１を算出した後、信号処理部２０ｂは、α算出部２６ｂにより、１フレーム中の各画素４８の仮伸長係数α１に基づき、１フレーム中の全画素４８ｂに適用する伸長係数αｂを算出する（ステップＳ３８）。具体的には、信号処理部２０ｂは、α算出部２６ｂにより、１フレーム中の各画素４８の仮伸長係数α１の中での最小値を伸長係数αｂとする。ただし、伸長係数αｂの算出方法は、これに限られず、任意の方法をとることができる。例えば、信号処理部２０ｂは、明度Ｖ（Ｓ）と伸長係数αｂの積から求められた伸長された明度の値が最大明度Ｖｍａｘ（Ｓ）を超える画素４８ｂの、全画素４８ｂに対する割合が、限界値β（Ｌｉｍｉｔ値）以下となるように伸長係数αｂを決定してもよい。ここで、限界値βは、色相及び彩度の値の組み合わせにおいて拡大色空間の最大明度に対して、この最大明度を超える幅の割合の上限の値（割合）となる。
【０１２５】
伸長係数αｂを算出した後、信号処理部２０ｂは、１フレーム中の全画素４８ｂにおける各副画素４９ｂの出力信号を生成する（ステップＳ４０）。信号処理部２０ｂは、実施形態１と同じ方法で、Ｗ変換部２７及び伸長処理部２８により、伸長係数αｂを用いて、第１副画素４９Ｒｂ、第２副画素４９Ｇｂ、第３副画素４９Ｂｂ、第４副画素４９Ｗｂの出力信号を生成する。信号処理部２０ｂは、１フレーム中の全ての画素４８ｂにおける各副画素４９ｂについて、同じ伸長係数αｂを用いて、出力信号を生成する。
【０１２６】
各副画素４９ｂの出力信号を生成した後、信号処理部２０ｂは、ＢＬ輝度調整部２５ｂにより、伸長係数αｂに基づき、光源装置７１ｂの輝度（ＢＬ輝度）を低減させる(ステップＳ４２)。ＢＬ輝度調整部２５ｂは、伸長係数αｂに基づき、光源装置７１ｂの輝度を、（１／αｂ）倍とする信号を生成する。これにより、信号処理部２０ｂによる出力信号の生成処理及び光源装置７１ｂの輝度の低減処理は終了する。なお、このステップＳ４２は、各副画素４９ｂの出力信号を生成した後（ステップＳ４０の後）に行われなくてもよく、伸長係数αｂを算出した後（ステップＳ３８の後）であれば、ステップＳ４０と同時に行われても、それより前に行われてもよい。
【０１２７】
このように、実施形態３に係る表示装置１０ｂは、伸長係数αｂに基づき入力信号を伸長する。従って、表示装置１０ｂは、実施形態１に係る表示装置１０と同様に、基準色空間内の色より高い明度の色を表示することができる。表示装置１０ｂは、液晶表示パネルを有していても、明度の高い画像を適切に表示することができる。
【０１２８】
（実施形態４）
次に、本発明の実施形態４について説明する。実施形態４に係る表示装置１０ｃは、画像表示パネルが反射型の液晶表示パネルである点で、実施形態３に係る表示装置１０ｂとは異なる。実施形態４に係る表示装置１０ｃは、その他の点で実施形態３に係る表示装置１０ｂと構成が共通するため、共通する箇所の説明を省略する。
【０１２９】
図２０は、実施形態４に係る表示装置の構成の一例を示すブロック図である。図２０に示すように、実施形態４の表示装置１０ｃは、信号処理部２０ｃと、画像表示パネル４０ｃと、光源部７２とを有する。表示装置１０ｃは、外光を画像表示パネル４０ｃで反射させることにより、画像を表示する。さらに、表示装置１０ｃは、外光が十分でない屋外での夜間使用や暗所での使用の場合等には、光源部７２から発光される光を画像表示パネル４０ｃで反射させることによっても、画像を表示することができる。
【０１３０】
図２１は、実施形態４における画像表示パネルの構造を模式的に示す断面図である。図２１に示すように、画像表示パネル４０ｃは、互いに対向するアレイ基板４１と対向基板４２とを有し、アレイ基板４１と対向基板４２との間に液晶素子が封入された液晶層４３が設けられている。
【０１３１】
アレイ基板４１は、液晶層４３側の面に、複数の画素電極４４を有する。画素電極４４は、スイッチング素子を介して信号線ＤＴＬに接続されており、映像信号としての画像出力信号が印加される。画素電極４４は、例えばアルミニウム又は銀製の反射性を有する部材であり、外光又は光源部７２からの光を反射する。すなわち、実施形態４においては、画素電極４４が反射部を構成し、反射部は、画像表示パネル４０ｃの前面（画像を表示する側の面）から入射された光を反射して、画像を表示させる。
【０１３２】
対向基板４２は、例えばガラス等の透明性を有する基板である。対向基板４２は、液晶層４３側の面に、対向電極４５及びカラーフィルタ４６を有する。より詳しくは、対向電極４５は、カラーフィルタ４６の液晶層４３側の面に設けられている。
【０１３３】
対向電極４５は、例えばＩＴＯ（Indium  Tin  Oxide）、又はＩＺＯ（Indium  Zinc  Oxide）等の透明性を有する導電性材料である。対向電極４５は、画素電極４４が接続されているスイッチング素子と接続されている。画素電極４４と対向電極４５とは対向して設けられているため、画素電極４４と対向電極４５との間に画像出力信号による電圧が印加されると、画素電極４４と対向電極４５とは、液晶層４３内に電界を生じさせる。液晶層４３内に生じた電界により液晶素子がツイストして複屈折率が変化し、表示装置１０ｃは、画像表示パネル４０ｃから反射される光量を調整する。画像表示パネル４０ｃは、いわゆる縦電界方式であるが、画像表示パネル４０ｃの表示面に平行な方向に電界を発生させる横電界方式であってもよい。
【０１３４】
カラーフィルタ４６は、画素電極４４に対応して複数設けられる。画素電極４４と、対向電極４５と、カラーフィルタ４６とは、それぞれ副画素４９を構成する。対向基板４２の液晶層４３と反対側の面には、導光板４７が設けられている。導光板４７は、例えば、アクリル樹脂、ポリカーボネート（ＰＣ）樹脂、メタクリル酸メチル−スチレン共重合体（ＭＳ樹脂）等の透明性を有する板状部材である。導光板４７は、対向基板４２と反対側の面である上面４７Ａに、プリズム加工がなされている。
【０１３５】
光源部７２は、実施形態４においては、ＬＥＤである。光源部７２は、図２１に示すように、導光板４７の側面４７Ｂに沿って設けられている。光源部７２は、導光板４７を介して、画像表示パネル４０ｃの前面から、画像表示パネル４０ｃに光を照射する。光源部７２は、画像観察者の操作、又は表示装置１０ｃに取付けられて外光を計測する外光センサ等によって、ＯＮとＯＦＦとが切り替えられる。光源部７２は、ＯＮの場合に光を照射し、ＯＦＦの場合に光を照射しない。例えば、画像観察者が、画像が暗いと感じた場合は、画像観察者は、光源部７２をＯＮにして、光源部７２から画像表示パネル４０ｃに光を照射させ、画像を明るくする。また、外光センサが、外光強度が所定の値より小さいと判断した場合には、例えば信号処理部２０ｃは、光源部７２をＯＮにして、光源部７２から画像表示パネル４０ｃに光を照射させ、画像を明るくする。実施形態４において、信号処理部２０ｃは、光源部７２の光の輝度を、伸長係数αに応じて制御しない。すなわち、光源部７２の光の輝度は、後述する伸長係数αには無関係で設定される。ただし、光源部７２の光の輝度は、画像観察者の操作、又は外光センサの計測結果に応じて、調整されるものであってもよい。
【０１３６】
次に、画像表示パネル４０ｃによる光の反射について説明する。図２１に示すように、画像表示パネル４０ｃには、外光ＬＯ１が入射される。外光ＬＯ１は、導光板４７及び画像表示パネル４０ｃ内を通って画素電極４４に入射される。画素電極４４に入射された外光ＬＯ１は、画素電極４４に反射され、光ＬＯ２として、画像表示パネル４０ｃ内及び導光板４７内を通って、外部に出射される。また、光源部７２をＯＮにした場合、光源部７２からの光ＬI１は、導光板４７の側面４７Ｂから導光板４７内に入射する。導光板４７内に入射された光ＬI１は、導光板４７の上面４７Ａで散乱して反射され、一部が光ＬI２として、画像表示パネル４０ｃの対向基板４２側から画像表示パネル４０ｃ内に入射し、画素電極４４に照射される。画素電極４４に照射された光ＬI２は、画素電極４４により反射され、光ＬI３として画像表示パネル４０ｃ及び導光板４７を通って外部に出射する。また、導光板４７の上面４７Ａで散乱した光の他の一部は、光ＬI４として反射され、導光板４７内で反射を繰り返す。
【０１３７】
すなわち、画素電極４４は、画像表示パネル４０ｃの外部側（対向基板４２側）の面である前面から画像表示パネル４０ｃに入射される外光ＬＯ１又は光ＬI２を外部に反射する。外部に反射された光ＬＯ２及びＬI３は、液晶層４３及びカラーフィルタ４６を通る。そのため、表示装置１０は、外部に反射される光ＬＯ２，ＬI３により、画像を表示することができる。このように、実施形態４に係る表示装置１０ｃは、フロントライト型で、かつ、エッジライト型の光源部７２を有する反射型の表示装置である。なお、実施形態４においては、表示装置１０ｃは、光源部７２及び導光板４７を有するが、光源部７２及び導光板４７を有さなくてもよい。この場合、表示装置１０ｃは、外光ＬＯ１を反射した光ＬＯ２によって、画像を表示することができる。
【０１３８】
表示装置１０ｃは、反射型の表示装置であるが、実施形態３に係る表示装置１０ｂと同様に、伸長係数αｂに基づき入力信号を伸長する。従って、表示装置１０ｃは、実施形態３に係る表示装置１０ｂと同様に、基準色空間内の色より高い明度の色を表示することができる。
【０１３９】
（適用例）
次に、図２２及び図２３を参照して、実施形態１で説明した表示装置１０の適用例について説明する。図２２及び図２３は、実施形態１に係る表示装置を適用する電子機器の一例を示す図である。実施形態１に係る表示装置１０は、図２２に示すカーナビゲーションシステム、テレビジョン装置、デジタルカメラ、ノート型パーソナルコンピュータ、図２３に示す携帯電話等の携帯端末装置あるいはビデオカメラなどのあらゆる分野の電子機器に適用することが可能である。言い換えると、実施形態１に係る表示装置１０は、外部から入力された映像信号あるいは内部で生成した映像信号を、画像あるいは映像として表示するあらゆる分野の電子機器に適用することが可能である。電子機器は、表示装置に映像信号を供給し、表示装置の動作を制御する制御装置１１（図１参照）を備える。なお、本適用例は、実施形態１に係る表示装置１０以外でも、以上説明した他の実施形態、変形例に係る表示装置にも適用できる。
【０１４０】
図２２に示す電子機器は、実施形態１に係る表示装置１０が適用されるカーナビゲーション装置である。表示装置１０は、自動車の車内のダッシュボード３００に設置される。具体的にはダッシュボード３００の運転席３１１と助手席３１２の間に設置される。カーナビゲーション装置の表示装置１０は、ナビゲーション表示、音楽操作画面の表示、又は、映画再生表示等に利用される。
【０１４１】
図２３に示す電子機器は、実施形態１に係る表示装置１０が適用される携帯型コンピュータ、多機能な携帯電話、音声通話可能な携帯コンピュータまたは通信可能な携帯コンピュータとして動作し、いわゆるスマートフォン、タブレット端末と呼ばれることもある、情報携帯端末である。この情報携帯端末は、例えば筐体５６２の表面に表示部５６１を有している。この表示部５６１は、実施形態１に係る表示装置１０と外部近接物体を検出可能なタッチ検出（いわゆるタッチパネル）機能とを備えている。 
【０１４２】
以上、本発明の実施形態を説明したが、これらの実施形態の内容によりこれらの実施形態が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【符号の説明】
【０１４３】
１０  表示装置
２０  信号処理部
２２  色データ算出部
２４  拡大色空間記憶部
２６  α算出部
２７  Ｗ変換部
２８  伸長処理部
２９  ガンマ変換部
３０  画像表示パネル駆動部
４０  画像表示パネル
４８  画素
４９Ｒ  第１副画素
４９Ｇ  第２副画素
４９Ｂ  第３副画素
４９Ｗ  第４副画素
【図１】
2016126307.tif 000004
【図２】
2016126307.tif 000005
【図３】
2016126307.tif 000006
【図４】
2016126307.tif 000007
【図５】
2016126307.tif 000008
【図６】
2016126307.tif 000009
【図７】
2016126307.tif 000010
【図８】
2016126307.tif 000011
【図９】
2016126307.tif 000012
【図１０】
2016126307.tif 000013
【図１１】
2016126307.tif 000014
【図１２】
2016126307.tif 000015
【図１３】
2016126307.tif 000016
【図１４】
2016126307.tif 000017
【図１５】
2016126307.tif 000018
【図１６】
2016126307.tif 000019
【図１７】
2016126307.tif 000020
【図１８】
2016126307.tif 000021
【図１９】
2016126307.tif 000022
【図２０】
2016126307.tif 000023
【図２１】
2016126307.tif 000024
【図２２】
2016126307.tif 000025
【図２３】
2016126307.tif 000026